(57)【要約】  幾つかの例証的実施形態は、アプリケーションサービスプラットフォーム（ＡＳＰ）ピアツーピア（Ｐ２Ｐ）持続性グループを設定する機器、システム及び方法を含む。例えば、装置は、第１のＡＳＰであって、無線通信リンクを介して１又は複数のＡＳＰ−Ｐ２Ｐグループを設定するために第２のＡＳＰと通信し、前記第１のＡＳＰは、複数の異なるセッションに及ぶＡＳＰ−Ｐ２Ｐ持続性グループとしてのみ各ＡＳＰ−Ｐ２Ｐグループを形成し、前記第１のＡＳＰは、前記セッション中に使用するために、前記ＡＳＰ−Ｐ２Ｐ持続性グループの認証情報を格納する、第１のＡＳＰ、を有しても良い。
2016508263.tif 000002
【特許請求の範囲】
【請求項１】
無線通信の装置であって、前記装置は、
第１のアプリケーションサービスプラットフォーム（ＡＳＰ）であって、無線通信リンクを介して１又は複数のＡＳＰピアツーピア（ＡＳＰ−Ｐ２Ｐ）グループを設定するために第２のＡＳＰと通信し、前記第１のＡＳＰは、複数の異なるセッションに及ぶＡＳＰ−Ｐ２Ｐ持続性グループとしてのみ各ＡＳＰ−Ｐ２Ｐグループを形成し、前記第１のＡＳＰは、前記セッション中に使用するために、前記ＡＳＰ−Ｐ２Ｐ持続性グループの認証情報を格納する、第１のＡＳＰ、
を有する装置。
【請求項２】
前記第１のＡＳＰは、グループ能力マップを有するＰ２Ｐ能力属性を前記第２のＡＳＰと通信し、前記グループ能力マップは、前記ＡＳＰ−Ｐ２Ｐグループが前記ＡＳＰ−Ｐ２Ｐ持続性グループとして形成されるべきと示すために常に設定される持続性グループビットを有する、請求項１に記載の装置。
【請求項３】
前記第１のＡＳＰは、ＡＳＰ−Ｐ２Ｐセッションを設定するためにプロビジョン発見要求及びプロビジョン発見応答を前記第２のＡＳＰと通信し、前記プロビジョン発見応答は、前記プロビジョン発見要求に対して応答し、前記プロビジョン発見要求は、前記ＡＳＰ−Ｐ２Ｐ持続性グループを使用する意図の指示を有し、前記プロビジョン発見応答は、前記ＡＳＰ−Ｐ２Ｐ持続性グループを使用することの確認の指示を有する、請求項１に記載の装置。
【請求項４】
前記第１のＡＳＰは、前記プロビジョン発見要求を送信し、前記プロビジョン発見応答を受信し、前記プロビジョン発見要求は、前記第１のＡＳＰが利用可能な前記認証情報を有することを示す、請求項３に記載の装置。
【請求項５】
前記第１のＡＳＰは、前記プロビジョン発見要求を受信し、前記プロビジョン発見応答を送信し、前記プロビジョン発見応答は、前記第１のＡＳＰが利用可能な前記認証情報を有することを示す、請求項３に記載の装置。
【請求項６】
前記第１のＡＳＰは、ＡＳＰ−Ｐ２Ｐセッションを設定するためにプロビジョン発見要求及びプロビジョン発見応答を前記第２のＡＳＰと通信し、前記プロビジョン発見応答は前記プロビジョン発見要求に対して応答し、前記プロビジョン発見要求及び前記プロビジョン発見応答の各々は、前記ＡＳＰ−Ｐ２Ｐ持続性グループの中で使用されるべきＰ２Ｐインタフェースアドレスを有する、請求項１乃至５のいずれか一項に記載の装置。
【請求項７】
前記第１のＡＳＰは、ＡＳＰ−Ｐ２Ｐセッションを設定するためにプロビジョン発見要求及びプロビジョン発見応答を前記第２のＡＳＰと通信し、前記プロビジョン発見応答は前記プロビジョン発見要求に対して応答し、前記プロビジョン発見要求及び前記プロビジョン発見応答の各々は、前記ＡＳＰ−Ｐ２Ｐ持続性グループの中で使用されるべき動作チャネルを有する、請求項１乃至５のいずれか一項に記載の装置。
【請求項８】
前記第１のＡＳＰは、グループオーナとして前記ＡＳＰ−Ｐ２Ｐ持続性グループを自立的に開始する、請求項１乃至５のいずれか一項に記載の装置。
【請求項９】
前記無線通信リンクは、ＷｉＦｉ（Wireless−Fidelity）Ｄｉｒｅｃｔリンクを有する、請求項１乃至５のいずれか一項に記載の装置。
【請求項１０】
無線通信のシステムであって、前記システムは、
第１の無線通信装置を有し、前記第１の無線通信装置は、
無線通信リンクを介して第２の無線通信装置と通信する無線通信ユニットと、
第１のアプリケーションサービスプラットフォーム（ＡＳＰ）であって、ＡＳＰ−Ｐ２Ｐ持続性グループの認証情報を用いてＡＳＰセッションのためのピアツーピア（Ｐ２Ｐ）を設定するために前記第２の無線通信装置の第２のＡＳＰと通信し、前記第１のＡＳＰは、前記ＡＳＰセッションを設定するためにプロビジョン発見要求及びプロビジョン発見応答を前記第２のＡＳＰと通信し、前記プロビジョン発見応答は前記プロビジョン発見要求に対して応答し、前記プロビジョン発見要求及び前記プロビジョン発見応答の各々は、前記セッション中に使用されるべきＰ２Ｐインタフェースアドレスを有する、第１のＡＳＰと、
を有する、システム。
【請求項１１】
前記プロビジョン発見要求及び前記プロビジョン発見応答の各々は、前記ＡＳＰ−Ｐ２Ｐ持続性グループの中で使用されるべき動作チャネルを有する、請求項１０に記載のシステム。
【請求項１２】
前記第１のＡＳＰは、グループ能力マップを有するＰ２Ｐ能力属性を前記第２のＡＳＰと通信し、前記グループ能力マップは、前記ＡＳＰ−Ｐ２Ｐ持続性グループを示すために設定される持続性グループビットを有する、請求項１０に記載のシステム。
【請求項１３】
前記プロビジョン発見要求は、前記ＡＳＰ−Ｐ２Ｐ持続性グループを使用する意図の指示を有し、前記プロビジョン発見応答は、前記ＡＳＰ−Ｐ２Ｐ持続性グループを使用することの確認の指示を有する、請求項１０乃至１２のいずれか一項に記載のシステム。
【請求項１４】
前記第１のＡＳＰは、前記プロビジョン発見要求を送信し、前記プロビジョン発見応答を受信し、前記プロビジョン発見要求は、前記第１のＡＳＰが利用可能な前記認証情報を有することを示す、請求項１０乃至１２のいずれか一項に記載のシステム。
【請求項１５】
前記第１のＡＳＰは、前記プロビジョン発見要求を受信し、前記プロビジョン発見応答を送信し、前記プロビジョン発見応答は、前記第１のＡＳＰが利用可能な前記認証情報を有することを示す、請求項１０乃至１２のいずれか一項に記載のシステム。
【請求項１６】
無線通信の方法であって、前記方法は、
第１のアプリケーションサービスプラットフォーム（ＡＳＰ）と第２のＡＳＰとの間の無線通信リンクを介して１又は複数のＡＳＰピアツーピア（ＡＳＰ−Ｐ２Ｐ）グループを設定するステップであって、前記設定するステップは、複数の異なるセッションに及ぶＡＳＰ−Ｐ２Ｐ持続性グループとしてのみ各ＡＳＰ−Ｐ２Ｐグループを形成するステップを有する、ステップと、
前記セッション中に使用するために、前記第１のＡＳＰに前記ＡＳＰ−Ｐ２Ｐ持続性グループの認証情報を格納するステップと、
を有する方法。
【請求項１７】
グループ能力マップを有するＰ２Ｐ能力属性を前記第２のＡＳＰと通信するステップであって、前記グループ能力マップは、前記ＡＳＰ−Ｐ２Ｐグループが前記ＡＳＰ−Ｐ２Ｐ持続性グループとして形成されるべきと示すために常に設定される持続性グループビットを有する、ステップ、を有する請求項１６に記載の方法。
【請求項１８】
ＡＳＰ−Ｐ２Ｐセッションを設定するためにプロビジョン発見要求及びプロビジョン発見応答を前記第２のＡＳＰと通信するステップであって、前記プロビジョン発見応答は、前記プロビジョン発見要求に対して応答し、前記プロビジョン発見要求は、前記ＡＳＰ−Ｐ２Ｐ持続性グループを使用する意図の指示を有し、前記プロビジョン発見応答は、前記ＡＳＰ−Ｐ２Ｐ持続性グループを使用することの確認の指示を有する、ステップ、を有する請求項１６に記載の方法。
【請求項１９】
ＡＳＰ−Ｐ２Ｐセッションを設定するためにプロビジョン発見要求及びプロビジョン発見応答を前記第２のＡＳＰと通信するステップであって、前記プロビジョン発見応答は前記プロビジョン発見要求に対して応答し、前記プロビジョン発見要求及び前記プロビジョン発見応答の各々は、前記ＡＳＰ−Ｐ２Ｐ持続性グループの中で使用されるべきＰ２Ｐインタフェースアドレスを有する、ステップ、を有する請求項１６に記載の方法。
【請求項２０】
機械により実行されると請求項１６乃至１９のいずれか一項に記載の方法を生じる格納された命令を有する非一時的記憶媒体を有する製品。
【発明の詳細な説明】
【技術分野】
【０００１】
本願明細書に記載の実施形態は、概して、アプリケーションサービスプラットフォーム（ＡＳＰ）ピアツーピア（Ｐ２Ｐ）グループを設定する機器、システム及び方法に関する。
【背景技術】
【０００２】
第１の無線通信装置は、１又は複数のサービスを第２の無線通信装置に提供する能力を有しても良い。例えば、第１の無線通信装置は、印刷サービス、ディスプレイサービス、インターネットアクセスサービス、及び／又は他のサービスを第２の無線通信装置に提供しても良い。
【０００３】
Ｗｉ−Ｆｉ（Wireless  Fidelity）Ｄｉｒｅｃｔ技術は、例えばコンテンツを共有し、表示し、印刷し、及び／又は同期する目的で第１及び第２の装置の間を接続するためにピアツーピア（Ｐ２Ｐ）接続を提供する。
【０００４】
Ｗｉ−Ｆｉ  Ｄｉｒｅｃｔ技術は、複数の例えば異なるベンダからのサービス及び／又はアプリケーション間の相互運用性を支援しなくても良いリンクレイヤ接続を提供する。結果として、ユーザは、リモート装置からサービスを使用するとき、例えばサービスを提供する装置とアプリケーションを実行する装置との間の相互運用性の欠如により、及び／又はＰ２Ｐ技術の複雑性により、矛盾を経験し得る。
【図面の簡単な説明】
【０００５】
説明を簡単且つ明確にするため、図中に示された要素は、必ずしも縮尺通りに描かれていないことが理解される。例えば、幾つかの要素の寸法は、提示の明確さのため、他の要素に比して誇張されている。さらに、参照符号は、対応する又は同様の要素を示すために、図の間で繰り返され得る。図は以下の通りである。
【図１】幾つかの例証的実施形態による、システムの概略ブロック図である。
【図２】幾つかの例証的実施形態による、第１の無線通信装置と第２の無線通信装置との間の動作のシーケンス図である。
【図３】幾つかの例証的実施形態による、アプリケーションサービスプラットフォーム（ＡＳＰ）ピアツーピア（Ｐ２Ｐ）グループを設定する方法のフローチャート図である。
【図４】幾つかの例証的実施形態による、製品の概略図である。
【発明を実施するための形態】
【０００６】
以下の詳細な説明では、幾つかの実施形態の完全な理解を提供するために、多くの詳細事項が説明される。しかしながら、代替の実施形態がそのような特定の詳細にかかわらず実施できることが当業者により理解されるだろう。他の例では、議論を曖昧にすることを避けるため、良く知られた方法、手順、コンポーネント及び／又は回路は詳細に説明されない。
【０００７】
本願明細書で、例えば「処理する（processing）」、「計算する（computing）」、「計算する（calculating）」、「決定する（determining）」、「確立する（establishing）」、「分析する（analyzing）」、「チェックする（checking）」、等のような用語を用いる議論は、コンピュータのレジスタ及び／又はメモリ内の物理（例えば、電子）量として表されるデータを操作及び／又は同様にコンピュータのレジスタ及び／又はメモリ又は動作及び／又は処理を実行するために命令を格納できる他の情報記憶媒体内の物理（例えば、電子）量として表される他のデータに変換する、コンピュータ、コンピューティングプラットフォーム、コンピューティングシステム、又は他の電子コンピューティング装置の動作及び／又は処理を表しても良い。
【０００８】
本願明細書で用いられる用語「複数の（plurality、a  plurality）」は、例えば、「複数の（multiple）」又は「２以上の」を含む。例えば、「複数のアイテム」は、２以上のアイテムを含む。
【０００９】
「一実施形態」、「ある実施形態」、「例証的実施形態」、「種々の実施形態」等のような参照は、そのように記載された実施形態が特定の機能、構造又は特徴を含むこと、しかし各実施形態が特定の機能、構造又は特徴を必ずしも含まないことを意味する。さらに、表現「一実施形態では」の繰り返しの使用は、同一であっても良いが必ずしも同一の実施形態を参照しない。
【００１０】
本願明細書で用いられるように、特に断らない限り、序数の形容詞「第１の」、「第２の」、「第３の」、等の共通の目的語を記述するための使用は、単に、同様の物の異なる存在が言及されていることを示し、記載されている物が時間的又は空間的に所与の順序に、順位付けに、又は任意の他の方法で存在しなければならないことを意味するものではない。
【００１１】
幾つかの実施形態は、種々の装置及びシステム、例えばパーソナルコンピュータ（ＰＣ）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルド装置、ＰＤＡ（Personal  Digital  Assistant）装置、ハンドヘルドＰＤＡ装置、オンボード装置、オフボード装置、ハイブリッド装置、車載装置、非車載装置、モバイル又はポータブル装置、消費者装置、非モバイル又は非ポータブル装置、無線通信局、無線通信装置、無線アクセスポイント（ＡＰ）、有線又は無線ルータ、有線又は無線モデム、ビデオ装置、オーディオ装置、オーディオ−ビデオ（Ａ／Ｖ）装置、有線又は無線ネットワーク、無線エリアネットワーク、ＷＶＡＮ（Wireless  Video  Area  Network）、ＬＡＮ（Local  Area  Network）、ＷＬＡＮ（Wireless  LAN）、ＰＡＮ（Personal  Area  Network）、ＷＰＡＮ（Wireless  PAN）、等と連携して用いられても良い。
【００１２】
幾つかの実施形態は、既存のＷＧＡ（Wireless−Gigabit−Alliance）仕様（Wireless  Gigabit  Alliance,  Inc  WiGig  MAC  and  PHY  Specification  Version  １.１,  April  ２０１１,  Final  specification）及び／又はその将来のバージョン及び／又は派生物に従って動作する装置及び／又はネットワーク、既存のＩＥＥＥ８０２．１１標準（IEEE  ８０２.１１−２０１２,  IEEE  Standard  for  Information  technology  −−  Telecommunications  and  information  exchange  between  systems  Local  and  metropolitan  area  networks  −−  Specific  requirements  Part  １１:  Wireless  LAN  Medium  Access  Control  (MAC)  and  Physical  Layer  (PHY)  Specifications,  March  ２９,  ２０１２;  IEEE８０２.１１  task  group  ac  (TGac)  (“IEEE８０２.１１−０９/０３０８r１２  -  TGac  Channel  Model  Addendum  Document”);  IEEE８０２.１１  task  group  ad  (TGad)  (IEEE  P８０２.１１ad−２０１２,  IEEE  Standard  for  Information  Technology  -  Telecommunications  and  Information  Exchange  Between  Systems  -  Local  and  Metropolitan  Area  Networks  -  Specific  Requirements  -  Part  １１:  Wireless  LAN  Medium  Access  Control  (MAC)  and  Physical  Layer  (PHY)  Specifications  -  Amendment  ３:  Enhancements  for  Very  High  Throughput  in  the  ６０GHz  Band,  ２８  December,  ２０１２)）及び／又はその将来のバージョン及び／又は派生物に従って動作する装置及び／又はネットワーク、既存のWirelessHD（商標）仕様及び／又はその将来のバージョン及び／又は派生物に従って動作する装置及び／又はネットワーク、既存のWiFi  Alliance  (WFA)  Peer−to−Peer  (P２P)仕様（WiFi  P２P  technical  specification,  version  １.３,  ２０１２）及び／又はその将来のバージョン及び／又は派生物に従って動作する装置及び／又はネットワーク、既存のWireless  Serial  Bus  (WSB)仕様及び／又はその将来のバージョン及び／又は派生物に従って動作する装置及び／又はネットワーク、上述のネットワークの部分であるユニット及び／又は装置、等と連携して用いられても良い。
【００１３】
幾つかの実施形態は、一方向及び／又は双方向無線通信システム、セルラ無線電話通信システム、携帯電話機、セルラ電話機、無線電話機、ＰＣＳ（Personal  Communication  System）装置、無線通信装置を内蔵するＰＤＡ装置、モバイル又はポータブルＧＰＳ（Global  Positioning  System）装置、ＧＰＳ受信機又は通信機又はチップを内蔵する装置、ＲＦＩＤ要素又はチップを内蔵する装置、ＭＩＭＯ（Multiple  Input  Multiple  Output）通信機又は装置、ＳＩＭＯ（Multiple  Input  Single  Output）通信機又は装置、１又は複数の内蔵アンテナ及び／又は外付けアンテナを有する装置、ＤＶＢ（Digital  Video  Broadcast）装置又はシステム、マルチ標準無線装置又はシステム、有線又は無線ハンドヘルド装置、例えばスマートフォン、ＷＡＰ（Wireless  Application  Protocol）装置、等と連携して用いられても良い。
【００１４】
幾つかの実施形態は、無線通信信号及び／又はシステム、例えば無線周波数（Radio  Frequency：ＲＦ）、赤外線（Infra  Red：ＩＲ）、ＦＤＭ（Frequency−Division  Multiplexing）、ＯＦＤＭ（Orthogonal  FDM）、ＴＤＭ（Time−Division  Multiplexing）、ＴＤＭＡ（Time−Division  Multiple  Access）、Ｅ−ＴＤＭＡ（Extended  TDMA）、ＧＰＲＳ（General  Packet  Radio  Service）、拡張ＧＰＲＳ、ＣＤＭＡ（Code−Division  Multiple  Access）、ＷＣＤＭＡ（登録商標）（Wideband  CDMA）、ＣＤＭＡ２０００、単一キャリアＣＤＭＡ、マルチキャリアＣＤＭＡ、ＭＤＭ（Multi−Carrier  Modulation）、ＤＭＴ（Discrete  Multi−Tone）、Ｂｌｕｅｔｏｏｔｈ（登録商標）、ＧＰＳ（Global  Positioning  System）、Ｗｉ−Ｆｉ、Ｗｉ−Ｍａｘ、ＺｉｇＢｅｅ（登録商標）、ＵＷＢ（Ultra−Wideband）、ＧＳＭ（登録商標）（Global  System  for  Mobile  communication）、２Ｇ、２．５Ｇ、３Ｇ、３．５Ｇ、４Ｇ、第５世代（５Ｇ）モバイルネットワーク、３ＧＰＰ、ＬＴＥ（Long  Term  Evolution）、ＬＴＥ  ａｄｖｎｃｅｄ、ＥＤＧＥ（Enhanced  Data  rates  for  GSM  Evolution）、等のうちの１又は複数の種類と連携して用いられても良い。他の実施形態は、種々の他の装置、システム、及び／又はネットワークで用いられても良い。
【００１５】
本願明細書で用いられる用語「無線装置」は、例えば、無線通信の可能な装置、無線通信の可能な通信装置、無線通信の可能な通信局、無線通信の可能なポータブル又は非ポータブル装置、等を有する。幾つかの例証的実施形態では、無線装置は、コンピュータに統合される周辺機器、又はコンピュータに取り付けられる周辺機器であっても良く或いはそれらを含んでも良い。幾つかの実施形態では、用語「無線装置」は、任意的に、無線サービスを含んでも良い。
【００１６】
無線通信信号に関して本願明細書で用いられる用語「通信する（communicating）」は、無線通信信号を送信すること及び／又は無線通信信号を受信することを含む。例えば、無線通信信号を通信できる無線通信ユニットは、無線通信信号を少なくとも１つの他の無線通信ユニットへ送信するために無線送信機を、及び／又は無線通信信号を少なくとも１つの他の無線通信ユニットから受信するために無線受信機を、有しても良い。
【００１７】
幾つかの例証的実施形態は、ＷＬＡＮと連携して用いられても良い。他の実施形態は、任意の他の適切な無線通信ネットワーク、例えば無線エリアネットワーク、「ピコネット」、ＷＰＡＮ、ＷＶＡＮ、等と連携して用いられても良い。
【００１８】
幾つかの例証的実施形態は、６０ＧＨｚの周波数帯で通信する無線通信ネットワークと連携して用いられても良い。しかしながら、他の実施形態は、任意の適切な無線通信周波数帯、例えば、ＥＨＦ（Extremely  High  Frequency）帯（ミリ波（mmWave）周波数帯）、例えば、２０ＧＨｚ乃至３００ＧＨｚの間の周波数帯の範囲内の周波数帯、ＷＬＡＮ周波数帯、ＷＰＡＮ周波数帯、ＷＧＡ仕様に従う周波数帯、等を利用して実施されても良い。
【００１９】
本願明細書で用いられる用語「アンテナ」は、１又は複数のアンテナ要素、コンポーネント、ユニット、アセンブリ、及び／又はアレイの任意の適切な構成、構造、及び／又は配置を含んでも良い。幾つかの実施形態では、アンテナは、別個の送信及び受信アンテナ要素を用いて送信及び受信機能を実施しても良い。幾つかの実施形態では、アンテナは、共通の及び／又は統合された送信及び受信要素を用いて送信及び受信機能を実施しても良い。アンテナは、例えば、位相アレイアンテナ、単一要素アンテナ、及び／又はスイッチドビームアンテナのセット、等を有しても良い。
【００２０】
本願明細書で用いられる用語「局（ＳＴＡ）」は、無線媒体（ＷＭ）に対するＭＡＣ（medium  access  control）及びＰＨＹ（物理層）インタフェースの個々にアドレス可能なインスタンスである任意の論理エンティティを有しても良い。
【００２１】
本願明細書で用いられる用語「アクセスポイント（ＡＰ）」は、１つの局（ＳＴＡ）を有するエンティティを含んでも良く、ＷＭを介して関連ＳＴＡに配信サービスへのアクセスを提供する。
【００２２】
本願明細書で用いられる用語「非アクセスポイント（非ＡＰ）局（ＳＴＡ）」は、ＡＰの中に含まれないＳＴＡに関連し得る。
【００２３】
本願明細書で用いられる用語「ピアツーピア（ＰＴＰ又はＰ２Ｐ）通信」は、装置対の間の無線リンク（「ピアツーピアリンク」）を介した装置間通信を表しても良い。Ｐ２Ｐ通信は、例えば、ＱｏＳ基本サービスセット（basic  service  set：ＢＳＳ）の範囲内の直接リンク、ＴＤＬＳ（tunneled  direct−link  setup）リンク、ＩＢＳＳ（independent  basic  service  set）の中のＳＴＡ間通信、等を介した無線通信を含み得る。
【００２４】
図１を参照すると、幾つかの例証的実施形態による、システム１００のブロック図を概略的に示す。
【００２５】
図１に示すように、幾つかの例証的実施形態では、システム１００は、コンテンツ、データ、情報及び／又は信号を無線通信媒体（ＷＭ）１０３、例えば無線チャネル、ＩＲチャネル、ＲＦチャネル、ＷｉＦｉ（Wireless  Fidelity）チャネル等を介して通信できる１又は複数の無線通信装置、例えば、無線通信装置１２０及び／又は１４０を含む無線通信ネットワークを有しても良い。システム１００の１又は複数の要素は、任意的に、任意の適切な有線通信リンクを介して通信可能であっても良い。
【００２６】
幾つかの実施形態では、無線通信装置１２０及び／又は１４０は、例えば、ＰＣ、デスクトップコンピュータ、モバイルコンピュータ、ラップトップコンピュータ、ノートブックコンピュータ、タブレットコンピュータ、Ｕｌｔｒａｂｏｏｋ（登録商標）コンピュータ、サーバコンピュータ、ハンドヘルドコンピュータ、ＰＤＡ装置、ハンドヘルドＰＤＡ装置、オンボード装置、オフボード装置、ハイブリッド装置（例えば、セルラフォン機能をＰＤＡ装置機能に結合する）、消費者装置、車載装置、非車載装置、モバイル又はポータブル装置、非モバイル又は非ポータブル装置、モバイル電話機、セルラ電話機、ＰＣＳ装置、無線通信装置を内蔵するＰＤＡ装置、モバイル又はポータブルＧＰＳ装置、ＤＶＢ装置、比較的小さなコンピューティング装置、非デスクトップコンピュータ、ＣＳＬＬ（Carry  Small  Live  Large）装置、ＵＭＤ（Ultra  Mobile  Device）、ＵＭＰＣ（Ultra  Mobile  PC）、ＭＩＤ（Mobile  Internet  Device）、「おりがみ」装置又はコンピューティング装置、ＤＣＣ（Dynamically  Composable  Computing）をサポートする装置、コンテキスト認識型装置、ビデオ装置、オーディオ装置、Ａ／Ｖ装置、ＳＴＢ（Set−Top−Box）、Ｂｌｕｅ−ｒａｙ（登録商標）ディスクｒ（ＢＤ）レコーダ、ＤＶＤ（Digital  Video  Disc）プレイヤ、ＨＤ（High  Definition）ＤＶＤプレイヤ、ＤＶＤレコーダ、ＨＤ  ＤＶＤレコーダ、ＰＶＲ（Personal  Video  Recorder）、ブロードキャストＨＤ受信機、ビデオソース、オーディオソース、ビデオシンク、オーディオシンク、ステレオチューナ、ブロードキャスト無線受信機、平面ディスプレイ、ＰＭＰ（Personal  Media  Player）、ＤＶＣ（digital  video  camera）、デジタルオーディオプレイヤ、スピーカ、オーディオ受信機、オーディオ増幅器、ゲーム装置、データソース、データシンク、ＤＳＣ（Digital  Still  camera）、メディアプレイヤ、スマートフォン、テレビジョン、音楽プレイヤ、等を有しても良い。
【００２７】
幾つかの例証的実施形態では、無線通信装置１２０及び／又は１４０は、それぞれ無線通信装置１２０及び／又は１４０の間の及び／又は例えば後述するような１又は複数の他の無線通信装置との無線通信を実行するために無線通信ユニット１１２及び／又は１４２を有しても良い。
【００２８】
幾つかの例証的実施形態では、無線通信装置１２０及び／又は１４０は、例えばプロセッサ１９１、入力ユニット１９２、出力ユニット１９３、メモリユニット１９４、及び記憶ユニット１９５のうちの１又は複数を有しても良い。無線通信装置１２０及び／又は１４０は、任意的に、他のハードウェアコンポーネント及び／又はソフトウェアコンポーネントを有しても良い。幾つかの例証的実施形態では、１又は複数の無線通信装置１２０及び／又は１４０の一部又は全部のコンポーネントは、共通の筐体又はパッケージに封入されても良く、１又は複数の有線又は無線リンクを用いて相互接続され又は動作可能に関連付けられても良い。他の実施形態では、１又は複数の無線通信装置１２０及び／又は１４０のコンポーネントは、複数の又は別個の装置の間に分散されても良い。
【００２９】
プロセッサ１９１は、例えば、ＣＰＵ（Central  Processing  Unit）、ＤＳＰ（Digital  Signal  Processor）、１又は複数のプロセッサコア、単一コアプロセッサ、デュアルコアプロセッサ、マルチコアプロセッサ、マイクロプロセッサ、ホストプロセッサ、コントローラ、複数のプロセッサ又はコントローラ、チップ、マイクロチップ、１又は複数の回路、回路、論理ユニット、集積回路（ＩＣ）、ＡＳＩＣ（Application−Specific  IC）、又は任意の他の適切な多目的若しくは専用プロセッサ若しくはコントローラを含む。プロセッサ１９１は、例えば、無線通信装置１２０及び／又は１４０のオペレーティングシステム（ＯＳ）の及び／又は１又は複数のアプリケーションの命令を実行する。
【００３０】
入力ユニット１９２は、例えば、キーボード、キーパッド、マウス、タッチスクリーン、タッチパッド、トラックボール、スタイラス、マイクロフォン、又は他の適切な指示装置又は入力装置を有する。出力ユニット１９３は、例えば、モニタ、スクリーン、タッチスクリーン、平面ディスプレイ、ＣＲＴ（Cathode  Ray  Tube）ディスプレイユニット、ＬＣＤ（Liquid  Crystal  Display）ディスプレイユニット、プラズマディスプレイユニット、１又は複数のオーディオスピーカ又はイヤフォン、又は他の適切な出力装置を含む。
【００３１】
メモリユニット１９４は、例えば、ＲＡＭ（Random  Access  Memory）、ＲＯＭ（Read  Only  Memory）、ＤＲＡＭ（Dynamic  RAM）、ＳＤＲＡＭ（Synchronous  DRAM）、フラッシュメモリ、揮発性メモリ、不揮発性メモリ、キャッシュメモリ、バッファ、短期間メモリユニット、長期間メモリユニット、又は他の適切なメモリユニットを含む。記憶ユニット１９５は、例えば、ハードディスクドライブ、フロッピー（登録商標）ディスクドライブ、ＣＤ（Compact  Disk）ドライブ、ＤＣ−ＲＯＭドライブ、ＤＶＤドライブ、又は他の適切な取り外し可能若しくは取り外し不可能記憶ユニットを含む。メモリユニット１９４及び／又は記憶ユニット１９５は、例えば、無線通信装置１２０及び／又は１４０により処理されるデータを格納しても良い。
【００３２】
幾つかの例証的実施形態では、無線通信装置１１２及び／又は１４２は、１又は複数のアンテナ１０７及び／又は１４７をそれぞれ含んでも良く、又はそれに関連付けられても良い。アンテナ１０７及び／又は１４７は、無線通信信号、ブロック、フレーム、送信ストリーム、パケット、メッセージ及び／又はデータを送信する及び／又は受信するのに適する任意の種類のアンテナを含んでも良い。例えば、アンテナ１０７及び／又は１４７は、１又は複数のアンテナ要素、コンポーネント、ユニット、アセンブリ、及び／又はアレイの任意の適切な構成、構造、及び／又は配置を有しても良い。例えば、アンテナ１０７及び／又は１４７は、例えばビーム形成技術を用いて、指向性通信に適するアンテナを有しても良い。例えば、アンテナ１０７及び／又は１４７は、位相アレイアンテナ、単一要素アンテナ、及び／又はスイッチドビームアンテナのセット、等を有しても良い。幾つかの実施形態では、アンテナ１０７及び／又は１４７は、別個の送信及び受信アンテナ要素を用いて送信及び受信機能を実施しても良い。幾つかの実施形態では、アンテナ１０７及び／又は１４７は、共通の及び／又は統合された送信／受信要素を用いて送信及び受信機能を実施しても良い。
【００３３】
幾つかの例証的実施形態では、無線通信ユニット１１２及び／又は１４２は、例えば無線通信信号、ＲＦ信号、フレーム、ブロック、送信ストリーム、パケット、メッセージ、データアイテム、及び／又はデータを送信できる１又は複数の無線送信機、受信機及び／又は通信機を含む例えば１又は複数の無線機１１４を有する。例えば、無線通信装置１１２及び／又は１４２は、ＮＩＣ（Network  Interface  Card）を有しても良く、又はその部分として実装されても良い、等である。
【００３４】
幾つかの例証的実施形態では、無線通信媒体１０３は、無線Ｐ２Ｐリンクを有しても良い。例えば、装置１２０及び／又は１４０は、Ｐ２Ｐクライアント又はＰ２Ｐグループオーナ（group  owner：ＧＯ）の機能を事項しても良い。
【００３５】
幾つかの例証的実施形態では、無線通信媒体１０３は、無線ＷｉＦｉ  Ｄｉｒｅｃｔリンクを有しても良い。
【００３６】
幾つかの例証的実施形態では、無線通信媒体１０３は、任意の他の適切なリンクを有しても良い。
【００３７】
幾つかの例証的実施形態では、装置１２０及び／又は１４０は、１又は複数のリモート装置に１又は複数のサービスを提供するよう構成されても良い。例えば、装置１２０は、印刷サービス、表示サービス、インターネットアクセスサービス、及び／又は任意の他のサービスを装置１４０に提供するよう構成されても良い。
【００３８】
幾つかの例証的実施形態では、装置１２０及び／又は１４０は、例えばリモート装置にサービスを見付けられるよにするために、１又は複数のサービスをアドバタイズするよう構成されても良い。例えば、装置１２０は、装置１４０が装置１２０により提供されるサービスを発見できるように、装置１２０により提供されるサービスのうち１又は複数をアドバタイズするよう構成されても良い。
【００３９】
幾つかの例証的実施形態では、装置１２０及び／又は１４０は、リモート装置からの１又は複数のサービスを利用するよう構成されても良い。例えば、装置１４０は、装置１２０からのサービスを利用するよう構成されても良い。
【００４０】
幾つかの例証的実施形態では、装置１２０及び／又は１４０は、装置により提供されるサービスを受信するために該装置に接続するよう構成されても良い。例えば、装置１４０は、装置１２０により提供されるサービスを受信するために、装置１２０に接続するよう構成されても良い。
【００４１】
幾つかの例証的実施形態では、装置１２０及び１４０は、装置１２０と１４０との間を接続するために及び装置１２０と１４０との間で１又は複数のサービスを提供するために、無線通信媒体１０３を介して装置１２０と１４０との間のＰ２Ｐ接続を確立しても良い。
【００４２】
幾つかの例証的実施形態では、装置１２０及び１４０は、無線通信媒体１０３を介して装置１２０と１４０との間の任意の他の接続を確立しても良い。
【００４３】
幾つかの例証的実施形態では、装置１２０及び／又は１４０は、例えば所定のプロトコルに従って、１又は複数のサービスを受信する及び／又は提供する手順を管理するよう構成されるＡＳＰ（Application  Service  Platform）を有しても良い。
【００４４】
幾つかの例証的実施形態では、装置１２０はＡＳＰ１２４を有しても良く、及び／又は装置１４０はＡＳＰ１４４を有しても良い。ＡＳＰ１２４、１４４は、装置１２０と１４０との間のＡＳＰセッションを管理するよう構成される。
【００４５】
幾つかの例証的実施形態では、ＡＳＰ１２４及び／又はＡＳＰ１４４は、１又は複数のサービスを受信し及び／又は提供する手順を管理するために必要な機能を実装するソフトウェアモジュール及び／又はライブラリモジュールを有しても良い。例えば、機能は、サービスの発見、セッション管理、接続トポロジ管理、セキュリティ管理及び／又はサービスの管理をサポートするための任意の他の機能を有しても良い。他の実施形態では、ＡＳＰ１２４及び／又はＡＳＰ１４４は、任意の他のモジュール及び／又は構成を用いて実装されても良い。
【００４６】
幾つかの例証的実施形態では、ＡＳＰ１２４及びＡＳＰ１４４は、Ｐ２Ｐ接続を介して装置１２０と１４０との間の１又は複数のＡＳＰセッションを確立するよう構成されても良い。ＡＳＰセッションは、例えば、装置１２０と１４０との間で１又は複数のサービスを提供するために利用されても良い。
【００４７】
幾つかの例証的実施形態では、ＡＳＰセッションは、例えば、装置１２０と１４０との間のＰ２Ｐ接続を介するＡＳＰ１２４と１４４との間の論理リンクを有しても良い。ＡＳＰセッションは、例えば、装置１２０と１４０との間でサービスを提供する手順を管理するよう構成されても良い。
【００４８】
幾つかの例証的実施形態では、ＡＳＰ１２４及び／又はＡＳＰ１４４は、例えば装置１２０及び／又は１４０が例えばＡＳＰセッションの確立の前に装置１２０及び／又は１４０の間でＰ２Ｐ接続を確立しない場合、１又は複数のＡＳＰセッションを確立できなくても良い。
【００４９】
幾つかの例証的実施形態では、ＡＳＰ１２４及び／又はＡＳＰ１４４は、例えば装置１２０及び１４０がＡＳＰ−Ｐ２Ｐグループの一部ではない場合、Ｐ２Ｐ接続を介して１又は複数のＡＳＰセッションを確立できなくても良い。
【００５０】
幾つかの例証的実施形態では、ＡＳＰ１２４及び／又は１４４は、ＡＳＰ１２４と１４４との間のＡＳＰセッション及び／又はＰ２Ｐ接続を確立するために、ＡＳＰ１２４とＡＳＰ１４４との間のＡＳＰ−Ｐ２Ｐグループを設定しても良い。
【００５１】
幾つかの例証的実施形態では、ＡＳＰ−Ｐ２Ｐグループは、ＡＳＰ、例えばＡＳＰ１２４及び／又は１４４により形成されるグループを有しても良く、及びＰ２Ｐグループオーナ（ＧＯ）及び１又は複数のクライアントを含む装置のセットを有しても良い。例えば、ＡＳＰ−Ｐ２Ｐグループは、ＧＯの機能を実行するために装置１２０及び１４０のうちの１つ、例えば装置１２０を、クライアントの機能を実行するために装置１２０及び１４０のうちの別の１つ、例えば装置１４０を、有しても良い。
【００５２】
幾つかの例証的実施形態では、ＡＳＰ−Ｐ２Ｐグループの装置間のＡＳＰセッションを確立することは、装置のユーザにプロビジョニング手順を実行することを要求しても良い。例えば、ＡＳＰ−Ｐ２Ｐグループの１又は複数の装置のユーザは、例えば適正な装置がＡＳＰ−Ｐ２Ｐグループを形成していることを保証するために、プロビジョニング手順を実行しても良い。
【００５３】
一例では、装置は、プロビジョニング手順を実行するために、ＷＳＣ（WiFi  simple  configuration）を利用しても良い。
【００５４】
幾つかの例証的実施形態では、ＡＳＰ１２４及び／又はＡＳＰ１４４は、１又は複数のＡＳＰセッションを確立するために、１又は複数の要求に基づき１又は複数のＡＳＰ−Ｐ２Ｐグループを形成しても良い。
【００５５】
一例では、ＡＳＰ１２４及び／又はＡＳＰ１４４は、装置１２０と１４０との間で１又は複数のサービスを提供するために、装置１２０と１４０との間に１又は複数のＡＳＰセッションを確立しても良い。
【００５６】
幾つかの例証的実施形態では、ＡＳＰ１２４及びＡＳＰ１４４は、例えばプロビジョニング段階中に認証情報（credentials）を交換しても良い。
【００５７】
幾つかの例証的実施形態では、認証情報は、ＡＳＰ−Ｐ２Ｐグループに参加するために要求され得る情報を有しても良い。例えば、認証情報は、ＡＳＰ−Ｐ２Ｐグループへのアクセスの獲得を可能にし得るデータ構造を有しても良い。一例では、認証情報は、例えばＷＰＡ（WiFi  Protected  Access）ＰＳＫ（personal  pre−shared  key）を有しても良い。他の実施形態では、認証情報は、任意の他のデータ及び／又は情報を有しても良い。
【００５８】
幾つかの例証的実施形態では、持続性グループは、第１及び第２の装置の間のＰ２Ｐグループであっても良い。ここで、認証情報は、第１の及び／又は第２の装置により格納され、例えばＡＳＰセッションの初期使用の後の再利用のために利用可能にされても良い。持続性グループは、持続性グループが例えばＡＳＰ１２４及び／又は１４４により意図的に解消されるまで初期使用後の多数の異なるＡＳＰセッションに及び得る寿命を有しても良い。
【００５９】
幾つかの例証的実施形態では、１又は複数の装置１２０及び／又は１４０のユーザは、例えばＡＳＰ−Ｐ２ＰグループがＡＳＰ−Ｐ２Ｐ持続性グループとして形成されない場合、装置１２０と１４０との間のＡＳＰセッション毎にプロビジョニング手順を繰り返し実行する必要があり得る。この繰り返されるプロビジョニングは、不便であり、及び／又はユーザ経験を低下させ得る。
【００６０】
幾つかの例証的実施形態では、ＡＳＰ−Ｐ２Ｐグループは、例えば後述するように、常にＡＳＰ−Ｐ２Ｐ持続性グループとして形成されても良い。
【００６１】
幾つかの例証的実施形態では、ＡＳＰ−Ｐ２ＰグループをＡＳＰ−Ｐ２Ｐ持続性グループとして形成することは、例えば後述のように、例えばＡＳＰ−Ｐ２Ｐ持続性グループを形成した後に、ＡＳＰ−Ｐ２Ｐ持続性グループの装置間で別のＡＳＰセッションを確立するプロビジョニング手順を未然に防ぐことができる。
【００６２】
幾つかの例証的実施形態では、ＡＳＰ１２４は、無線通信リンク１０３を介して１又は複数のＡＳＰ−Ｐ２Ｐグループを設定するために、ＡＳＰ１４４と通信しても良い。
【００６３】
幾つかの例証的実施形態では、ＡＳＰ１２４は、複数の異なるＡＳＰセッションに及ぶＡＳＰ−Ｐ２Ｐ持続性グループとしてのみ、各ＡＳＰ−Ｐ２Ｐグループを形成しても良い。
【００６４】
幾つかの例証的実施形態では、ＡＳＰ１２４は、グループオーナ（ＧＯ）としてＡＳＰ−Ｐ２Ｐ持続性グループを自立的に開始しても良い。
【００６５】
幾つかの例証的実施形態では、ＡＳＰ１２４及び／又は１４４は、ＡＳＰ１２４と１４４との間のＧＰ交渉の一部として、ＡＳＰ−Ｐ２Ｐ持続性グループ１３０を設定しても良い。
【００６６】
幾つかの例証的実施形態では、ＡＳＰ１２４は、グループ能力マップを含むＰ２Ｐ能力属性をＡＳＰ１４４と通信しても良い。
【００６７】
幾つかの例証的実施形態では、グループ能力マップは、ＡＳＰ−Ｐ２ＰグループがＡＳＰ−Ｐ２Ｐ持続性グループ１３０として形成されるべきであると示すよう常に設定される持続性グループビットを有しても良い。
【００６８】
一例では、持続性Ｐ２Ｐグループビットは、ＡＳＰ−Ｐ２ＰグループがＡＳＰ−Ｐ２Ｐ持続性グループであると示すために所定の値、例えば「１」に常に設定されても良い。例えば、Ｐ２Ｐ能力属性は、グループ形成手順中に通信されても良い。Ｐ２Ｐ能力属性は、所定の値に設定された持続性Ｐ２Ｐグループビットを含むグループ能力ビットマップを有しても良い。
【００６９】
幾つかの例証的実施形態では、ＡＳＰ１２４は、例えばＡＳＰ−Ｐ２Ｐ持続性グループ１３０を設定するときに形成されたＡＳＰセッションの後の１又は複数の追加ＡＳＰセッション中に使用するために、ＡＳＰ−Ｐ２Ｐ持続性グループ１３０の認証情報１２６を格納しても良い。
【００７０】
幾つかの例証的実施形態では、ＡＳＰ１２４は、メモリ１２９及び／又は記憶装置１９５に認証情報１２６を格納しても良い。
【００７１】
幾つかの例証的実施形態では、ＡＳＰ１４４は、ＡＳＰセッション中に使用するために、ＡＳＰ−Ｐ２Ｐ持続性グループ１３０の認証情報１４６を格納しても良い。
【００７２】
幾つかの例証的実施形態では、ＡＳＰ１４４は、メモリ１２９及び／又は記憶装置１９５に認証情報１４６を格納しても良い。
【００７３】
幾つかの例証的実施形態では、ＡＳＰ１２４は、ＡＳＰ−Ｐ２Ｐ持続性グループ１３０を識別するために、グループ識別子を割り当てても良い。
【００７４】
幾つかの例証的実施形態では、異なるグループ識別子は、異なるＡＳＰ−Ｐ２Ｐ持続性グループを識別するために使用されても良い。
【００７５】
幾つかの例証的実施形態では、ＡＳＰ−Ｐ２Ｐ持続性グループ１３０のグループ識別子は、ＡＳＰ−Ｐ２Ｐ持続性グループ１３０の寿命中、変更されなくても良く及び／又は同一のままであっても良い。
【００７６】
幾つかの例証的実施形態では、ＡＳＰ１２４は、例えば記憶装置１９５に、ＡＳＰ−Ｐ２Ｐ持続性グループ１３０のグループ識別子をＡＳＰ−Ｐ２Ｐ持続性グループ１３０の認証情報１２６に関連付けて格納しても良い。
【００７７】
幾つかの例証的実施形態では、ＡＳＰ１４４は、例えば記憶装置１９５に、ＡＳＰ−Ｐ２Ｐ持続性グループ１３０のグループ識別子をＡＳＰ−Ｐ２Ｐ持続性グループ１３０の認証情報１４６に関連付けて格納しても良い。
【００７８】
幾つかの例証的実施形態では、ＡＳＰ−Ｐ２Ｐ持続性グループ１３０のグループ識別子に関連付けて認証情報１２６及び／又は１４６を格納することは、例えば後述のように、ＡＳＰ１２４及び／又は１４４に、１又は複数の追加セッションのためにＡＳＰ−Ｐ２Ｐ持続性グループを呼び出すことを可能にし得る。
【００７９】
幾つかの例証的実施形態では、ＡＳＰ１２４は、ＡＳＰ−Ｐ２Ｐ持続性グループ１３０の認証情報１２６及び／又は１４６を用いて、ＡＳＰセッション１１４のためにＰ２Ｐ接続を設定するために、ＡＳＰ１４４と通信しても良い。
【００８０】
幾つかの例証的実施形態では、ＡＳＰ１２４は、ＡＳＰセッション１１４を設定するために、プロビジョン発見要求１４７及びプロビジョン発見応答１２７をＡＳＰ１４４と通信しても良い。プロビジョン発見応答１２７は、プロビジョン発見要求１４７に対する応答であっても良い。
【００８１】
幾つかの例証的実施形態では、ＡＳＰ１４４は、プロビジョン発見要求１４７を送信しても良い。
【００８２】
幾つかの例証的実施形態では、プロビジョン発見要求１４７は、ＡＳＰ−Ｐ２Ｐ持続性グループ１３０を使用する意図の指示を有しても良い。
【００８３】
幾つかの例証的実施形態では、プロビジョン発見要求１４７は、例えばＡＳＰ１４４が使用しようと意図するＡＳＰ−Ｐ２Ｐ持続性グループを識別するために、ＡＳＰ−Ｐ２Ｐ持続性グループ１３０のグループ識別子を有しても良い。
【００８４】
幾つかの例証的実施形態では、プロビジョン発見要求１４７は、ＡＳＰ１４４が利用可能な認証情報１４６を有することを示しても良い。
【００８５】
幾つかの例証的実施形態では、Ｐ２Ｐインタフェースアドレスは、各ＡＳＰセッションについて同じでなくても良い。例えば、ＡＳＰセッション１４４のＰ２Ｐインタフェースアドレスは、別の、例えば異なるＡＳＰセッションのＰ２Ｐインタフェースアドレスと異なっても良い。
【００８６】
幾つかの例証的実施形態では、Ｐ２Ｐインタフェースアドレスは、ＡＳＰ−Ｐ２Ｐ持続性グループの中の装置、例えば装置１２０及び／又は１４０を識別するために、ＡＳＰ１２４及び／又はＡＳＰ１４４のために使用されても良い。
【００８７】
幾つかの例証的実施形態では、プロビジョン発見要求１４７及び／又はプロビジョン発見応答１２７は、ＡＳＰセッション１１４中に装置１２０及び／又は１４０により使用されるべきＰ２Ｐインタフェースアドレスを有しても良い。
【００８８】
幾つかの例証的実施形態では、Ｐ２Ｐ接続を介して通信するための動作チャネルは、ＡＳＰセッション毎に同一でなくても良い。例えば、ＡＳＰセッション１１４の動作チャネルは、別の、例えば異なる、Ｐ２Ｐ接続を介するＡＳＰセッションの動作チャネルと異なっても良い。
【００８９】
幾つかの例証的実施形態では、プロビジョン発見要求１４７及び／又はプロビジョン発見応答１２７は、ＡＳＰ−Ｐ２Ｐ持続性グループ１３０の中で使用されるべき動作チャネルを有しても良い。例えば、プロビジョン発見要求１４７及び／又はプロビジョン発見応答１２７は、動作チャネル属性を有しても良い。動作チャネル属性は、ＡＳＰ−Ｐ２Ｐ持続性グループ１３０の装置、例えば装置１２０又は１４０が通信し得る、ＡＳＰ−Ｐ２Ｐ持続性グループ１３０の意図される又は現在の動作チャネルを有しても良い。
【００９０】
幾つかの例証的実施形態では、ＡＳＰ１２４は、プロビジョン発見要求１４７を受信しても良く、プロビジョン発見応答１２７をＡＳＰ１４４へ、例えばプロビジョン発見要求１４７に応答して送信しても良い。
【００９１】
幾つかの例証的実施形態では、プロビジョン発見応答１２７は、ＡＳＰ−Ｐ２Ｐ持続性グループ１３０を使用するための、ＡＰ１２４の確認の指示を有しても良い。
【００９２】
幾つかの例証的実施形態では、プロビジョン発見応答１２７は、ＡＳＰ１２４が利用可能な認証情報１２６を有することを示しても良い。
【００９３】
幾つかの例証的実施形態では、ＡＳＰ１２４は、例えばＡＳＰ−Ｐ２Ｐ持続性グループ１３０を使用し、例えば呼び出しても良く、例えばプロビジョン発見応答１２７で確認の指示を送信すると、プロビジョン発見要求１４７により示された動作チャネル及びＰ２Ｐインタフェースアドレスを利用してＡＳＰセッション１１４を確立し及び／又は開いても良い。
【００９４】
幾つかの例証的実施形態では、ＡＳＰ１２４及び／又はＡＳＰ１４４は、ＡＳＰ１２４が利用可能な認証情報１２６を有しない場合、及び／又はＡＳＰ１２４がＡＳＰ−Ｐ２Ｐ持続性グループ１３０を使用することを確認しない場合、新しいＡＳＰ−Ｐ２Ｐ持続性グループを形成しても良い。
【００９５】
一例では、プロビジョン発見要求１４７及び／又はプロビジョン発見応答１２７は、持続性Ｐ２Ｐグループ呼び出しフラグビットを有しても良い。
【００９６】
幾つかの例証的実施形態では、プロビジョン発見要求１４７の中の持続性Ｐ２Ｐグループ呼び出しフラグビットは、例えば装置１４０が利用可能な認証情報１４６を有すること及びＡＳＰ−Ｐ２Ｐ持続性グループ１３０を呼び出そうと意図していることを示す第１の値、例えば「１」に設定されても良い。
【００９７】
幾つかの例証的実施形態では、プロビジョン発見要求１４７の中の持続性Ｐ２Ｐグループ呼び出しフラグビットは、例えば装置１４０が利用可能な認証情報１４６を有しないこと及び／又は装置１４０がＡＳＰ−Ｐ２Ｐ持続性グループ１３０を呼び出そうと意図しないことを示す第２の値、例えば「０」に設定されても良い。
【００９８】
幾つかの例証的実施形態では、プロビジョン発見応答１２７の中の持続性Ｐ２Ｐグループ呼び出しフラグビットは、例えば装置１２０が利用可能な認証情報１２６を有することを示すため、及びプロビジョン発見要求１４７の中で指定されたＡＳＰ−Ｐ２Ｐグループ識別子を有するＡＳＰ−Ｐ２Ｐ持続性グループ１３０が呼び出されることを確認するために、第１の値、例えば「１」に設定されても良い。
【００９９】
幾つかの例証的実施形態では、プロビジョン発見応答１２７の中の持続性Ｐ２Ｐグループ呼び出しフラグビットは、例えば装置１２０が利用可能な認証情報１２６を有しないこと及び／又はＡＳＰ１２４がＡＳＰ−Ｐ２Ｐ持続性グループ１３０を呼び出そうと意図しないことを示す第２の値、例えば「０」に設定されても良い。
【０１００】
幾つかの例証的実施形態では、ＡＳＰ１２４及び１４４は、例えばＡＳＰ１２４及び／又はＡＳＰ１４４が新しいＡＳＰ−Ｐ２Ｐ持続性グループを形成しようと意図する場合、及び／又は認証情報１２６及び／又は１４６が利用可能でない場合、ＷＳＣプロビジョニング手順を実行しても良い。
【０１０１】
幾つかの例証的実施形態では、持続性Ｐ２Ｐグループ呼び出しフラグビットは、接続能力属性の一部、例えばプロビジョン発見要求１４７及び／又はプロビジョン発見応答１２７の接続能力属性のビット３であっても良い。他の実施形態では、持続性Ｐ２Ｐグループ呼び出しフラグビットは、新しい属性又はＡＳＰ拡張属性の一部であっても良い。
【０１０２】
一例では、ＡＳＰ１２４及びＡＳＰ１４４は、装置１２０から装置１４０に印刷サービスを提供する目的でＡＳＰセッションを確立するために、ＡＳＰ−Ｐ２Ｐ持続性グループ１３０を形成しても良い。ＡＳＰ１２４は、ＡＳＰ−Ｐ２Ｐ持続性グループ１３０のグループ識別子に対応する認証情報１２６を格納しても良く、及び／又はＡＳＰ１４４は、ＡＳＰ−Ｐ２Ｐ持続性グループ１３０のグループ識別子に対応する認証情報１４６を格納しても良い。
【０１０３】
幾つかの例証的実施形態では、ＡＳＰ１２４及び／又はＡＳＰ１４４は、例えば装置１４０が印刷サービスの利用を終了したとき、ＡＳＰセッションを閉じても良い。
【０１０４】
幾つかの例証的実施形態では、ＡＳＰ１４４は、装置１２０からの表示サービスを利用するために、新しいＡＳＰセッション、例えばＡＳＰセッション１１４を開くことを要求しても良い。
【０１０５】
幾つかの例証的実施形態では、ＡＳＰ１４４は、ＡＳＰセッション１１４を開くために、プロビジョン発見要求１４７を送信しても良い。プロビジョン発見要求１４７は、ＡＳＰ−Ｐ２Ｐ持続性グループ１３０をＡＳＰセッション１１４のために使用する意図を示しても良い。
【０１０６】
幾つかの例証的実施形態では、ＡＳＰ１２４は、プロビジョン発見要求１４７を受信しても良く、表示サービスを提供するために例えば認証情報１２６及び１４６を用いてＡＳＰセッション１１４を確立するためにＡＳＰ−Ｐ２Ｐ持続性グループ１３０を呼び出しても良い。
【０１０７】
幾つかの例証的実施形態では、ＡＳＰ１２４は、例えば認証情報１２６及び／又は１４６が利用可能な場合のみ、ＡＳＰ−Ｐ２Ｐ持続性グループ１３０を呼び出すことが可能であっても良い。
【０１０８】
幾つかの例証的実施形態では、ＡＳＰ１２４及び／又は１４４は、例えば認証情報１２６及び／又は１４６が利用可能なので、例えばＡＳＰ−Ｐ２Ｐ持続性グループ１３０を呼び出すと、プロビジョニング手順を実行する必要がなくても良い。
【０１０９】
幾つかの例証的実施形態では、各ＡＳＰ−Ｐ２ＰグループをＡＳＰ−Ｐ２Ｐ持続性グループ、例えばグループ１３０として形成することは、プロビジョニング手順を排除できる。これは、追加ＡＳＰセッション、例えばＡＳＰセッション１１４を確立するための設定時間を短縮できる。
【０１１０】
幾つかの例証的実施形態では、設定時間の短縮は、性能を向上でき、及び／又は装置１２０及び／又は１４０の電力消費を低減できる。
【０１１１】
図２を参照すると、幾つかの例証的実施形態に従って、第１の無線通信装置２４０と第２の無線通信装置２２０との間の動作シーケンスを概略的に示す。例えば、装置２２０は装置１２０（図１）の機能を実行しても良く、及び／又は装置２４０は装置１４０（図１）の機能を実行しても良い。
【０１１２】
幾つかの例証的実施形態では、装置２４０は、例えば装置２２０から装置２４０にサービスを提供するために装置２４０と２２０との間でＡＳＰセッションを開くことを要求しても良い。
【０１１３】
図２に示すように、装置２４０は、ＡＳＰセッションを開くために、Ｐ２Ｐプロビジョン発見要求メッセージ２４７を送信しても良い。例えば、プロビジョン発見メッセージ２４７は、プロビジョン発見メッセージ１４７（図１）の機能を実行しても良い。
【０１１４】
図２に示すように、Ｐ２Ｐプロビジョン発見要求メッセージ２４７は、セッション情報フィールド、接続能力フィールド、持続性Ｐ２Ｐグループ呼び出しフィールド、及び／又はＰ２Ｐインタフェースアドレスを有しても良い。例えば、上述のように、Ｐ２Ｐグループ呼び出しフィールドは、ＡＳＰ−Ｐ２Ｐ持続性グループを使用する意図の指示を有しても良く、接続能力フィールドは、ＡＳＰ−Ｐ２ＰグループがＡＳＰ−Ｐ２Ｐ持続性グループとして形成されるべきであると示すために１に設定された持続性グループビットを有しても良く、及び／又は、Ｐ２Ｐインタフェースアドレスフィールドは、要求されたＡＳＰセッションのＰ２Ｐインタフェースアドレスを有しても良い。
【０１１５】
図２に示すように、装置２４０は、例えば、装置２２０がプロビジョン発見メッセージ２４７を受信しない場合、プロビジョン発見要求メッセージ２４７を再送信しても良い（２４２）。
【０１１６】
図２に示すように、装置２２０は、プロビジョン発見要求メッセージ２４７を受信しても良く、プロビジョン発見要求メッセージ２４７に応答して、プロビジョン発見応答メッセージ２２７を送信しても良い。例えば、プロビジョン発見応答メッセージ２２７は、プロビジョン発見応答メッセージ１２７（図１）の機能を実行しても良い。
【０１１７】
図２に示すように、プロビジョン発見応答メッセージ２２７は、持続性Ｐ２Ｐグループ呼び出しフィールド、及び／又はＰ２Ｐインタフェースアドレスを有しても良い。例えば上述のように、例えば、Ｐ２Ｐグループ呼び出しフィールドは、ＡＳＰ−Ｐ２Ｐ持続性グループを使用することの確認の指示を有しても良く、及び／又はＰ２Ｐインタフェースアドレスフィールドは、要求されたＡＳＰセッションのＰ２Ｐインタフェースアドレスを有しても良い。
【０１１８】
図２に示すように、装置２２０及び／又は２４０は、装置２２０及び／又は２４０の間で追加フレーム２５０を通信しても良い。例えば、装置２２０及び／又は２４０は、追加プロビジョン発見要求又は応答フレーム、要求セッションメッセージ、及び／又は追加セッションメッセージを通信しても良い。
【０１１９】
図２に示すように、装置２２０及び／又は２４０は、装置２２０及び／又は２４０の間でＰ２Ｐ−ＡＳＰメッセージ２５４を通信しても良い。例えば、装置２２０及び／又は２４０は、要求セッションメッセージ及び／又は許可ポートメッセージを通信しても良い。
【０１２０】
図３を参照すると、幾つかの例証的実施形態に従って、ＡＳＰ−Ｐ２Ｐグループを設定する方法のフローチャートを概略的に示す。例えば、図３の方法の動作のうちの１又は複数は、無線通信システム、例えばシステム１００（図１）、無線通信装置、例えば装置１２０（図１）及び／又は装置１４０（図１）、及び／又はＡＳＰ、例えばＡＳＰ１２４（図１）及び／又はＡＳＰ１４４（図１）により実行されても良い。
【０１２１】
ブロック３０２に示すように、方法は、第１のＡＳＰと第２のＡＳＰとの間の無線通信リンクを介して１又は複数のＡＳＰ−Ｐ２Ｐグループを設定するステップを有しても良い。例えばＡＳＰ１２４及びＡＳＰ１４４（図１）は、例えば上述のように、ＡＳＰ１２４とＡＳＰ１４４（図１）との間のＷＭ１０３（図１）を介して１又は複数のＡＳＰ−Ｐ２Ｐグループを設定しても良い。
【０１２２】
ブロック３０４に示すように、１又は複数のＡＳＰ−Ｐ２Ｐグループを設定するステップは、各ＡＳＰ−Ｐ２Ｐグループを、複数の異なるＡＳＰセッションに及ぶＡＳＰ−Ｐ２Ｐ持続性グループとしてのみ形成するステップを有しても良い。例えばＡＳＰ１２４（図１）は、例えば上述のように、複数の異なるＡＳＰセッションに及ぶＡＳＰ−Ｐ２Ｐ持続性グループ１３０（図１）を設定しても良い。
【０１２３】
ブロック３０６に示すように、各ＡＳＰ−Ｐ２ＰグループをＡＳＰ−Ｐ２Ｐ持続性グループとして形成するステップは、グループ能力マップを含むＰ２Ｐ能力属性を通信するステップを有しても良い。グループ能力マップは、ＡＳＰ−Ｐ２ＰグループがＡＳＰ−Ｐ２Ｐ持続性グループとして形成されるべきであると示すよう常に設定される持続性グループビットを有しても良い。例えば、ＡＳＰ１２４（図１）及びＡＳＰ１４４（図１）は、例えば上述のように１に設定された持続性グループビットを含むＰ２Ｐ能力属性を通信しても良い。
【０１２４】
ブロック３０８に示すように、１又は複数のＡＳＰ−Ｐ２Ｐグループを設定するステップは、ＡＳＰセッション中に使用するために、ＡＳＰ−Ｐ２Ｐ持続性グループの認証情報を第１のＡＳＰに格納するステップを有しても良い。例えば、ＡＳＰ１２４（図１）は、例えば上述のように、ＡＳＰセッション中に使用するために、認証情報１２６（図１）を格納しても良い。
【０１２５】
ブロック３１０に示すように、方法は、第１のＡＳＰと第２のＡＳＰとの間のＡＳＰセッションのためのＰ２Ｐ接続を設定するステップを有しても良く、ＡＳＰセッションはＡＳＰ−Ｐ２Ｐ持続性グループの認証情報を用いる。例えば、ＡＳＰ１２４及びＡＳＰ１４４（図１）は、例えば上述のように、ＡＳＰ−Ｐ２Ｐ持続性グループ１３０（図１）の認証情報１２６（図１）を用いてＡＳＰセッション１１４（図１）を設定しても良い。
【０１２６】
ブロック３１２に示すように、ＡＳＰセッションのためのＰ２Ｐ接続を設定するステップは、第１及び第２のＡＳＰの間でプロビジョン発見要求及びプロビジョン発見応答を通信するステップを有しても良い。プロビジョン発見応答は、プロビジョン発見要求に対する応答であっても良い。例えば、ＡＳＰ１２４及びＡＳＰ１４４（図１）は、例えば上述のように、プロビジョン発見要求１４７（図１）及びプロビジョン発見応答１２７（図１）を通信しても良い。
【０１２７】
ブロック３１４に示すように、プロビジョン発見要求及びプロビジョン発見応答を通信するステップは、ＡＳＰ−Ｐ２Ｐ持続性グループを使用する意図の指示、及びＡＳＰ−Ｐ２Ｐ持続性グループを使用することの確認の指示を通信するステップを有しても良い。例えば上述のように、例えば、プロビジョン発見要求１４７（図１）は、ＡＳＰ−Ｐ２Ｐ持続性グループ１３０（図１）を使用する意図の指示を有しても良く、及び／又はプロビジョン発見応答１２７（図１）は、ＡＳＰ−Ｐ２Ｐ持続性グループ１３０（図１）を使用することの確認の指示を有しても良い。
【０１２８】
ブロック３１６に示すように、プロビジョン発見要求及びプロビジョン発見応答を通信するステップは、ＡＳＰセッション中に使用されるべきＰ２Ｐインタフェースアドレスを通信するステップを有しても良い。例えば、プロビジョン発見要求１４７（図１）及び／又はプロビジョン発見応答１２７（図１）は、例えば上述のように、Ｐ２Ｐインタフェースアドレスを有しても良い。
【０１２９】
図４を参照すると、幾つかの例証的実施形態による、製品４００を概略的に示す。製品４００は、ロジック４０４を格納するために非一時的機械可読記憶媒体４０２を有しても良い。ロジック４０４は、例えば、装置１４０（図１）、装置１２０（図１）、ＡＳＰ１２４（図１）、ＡＳＰ１４４（図１）の機能の少なくとも一部を実行するために、及び／又は図３の方法の１又は複数の動作を実行するために用いられても良い。用語「非一時的機械可読媒体」は、全てのコンピュータ可読媒体を含むことを意図し、唯一の例外は一時的な伝搬信号である。
【０１３０】
幾つかの例証的実施形態では、製品４００及び／又は機械可読記憶媒体４０２は、揮発性メモリ、不揮発性メモリ、取り外し可能若しくは取り外し不可能なメモリ、消去可能若しくは消去不可能なメモリ、書き換え可能若しくは書き換え不可能なメモリ等を含む、データを格納可能な１又は複数種類のコンピュータ可読記憶媒体を含み得る。例えば、機械可読記憶媒体４０２は、ＲＡＭ、ＤＲＡＭ、ＤＤＲ−ＤＲＡＭ（Double−Data−Rate  DRAM）、ＳＤＲＡＭ、ＳＲＡＭ（static  RAM）、ＲＯＭ、ＰＲＯＭ（programmable  ROM）、ＥＰＲＯＭ（erasable  programmable  ROM）、ＥＥＰＲＯＭ（electrically  erasable  programmable  ROM）、ＣＤ−ＲＯＭ（Compact  Disk  ROM）、ＣＤ−Ｒ（Compact  Disk  Recordable）、ＣＤ−ＲＷ（Compact  Disk  Rewriteable）、フラッシュメモリ（例えば、ＮＯＲ又はＮＡＮＤフラッシュメモリ）、ＣＡＭ（content  addressable  memory）、ポリマメモリ、相変化メモリ、強誘電メモリ、ＳＯＮＯＳ（silicon−oxide−nitride−oxide−silicon）メモリ、ディスク、フロッピーディスク、ハードドライブ、光ディスク、磁気ディスク、カード、磁気カード、光学カード、テープ、カセット、等を有しても良い。コンピュータ可読記憶媒体は、搬送波若しくは通信リンク、例えばモデム、無線若しくはネットワーク接続を通る他の伝搬媒体に具現化されたデータ信号により伝達されるコンピュータプログラムをリモートコンピュータから要求元コンピュータにダウンロードし又は転送することに関与する任意の適切な媒体を有しても良い。
【０１３１】
幾つかの例証的実施形態では、ロジック４０４は、機械により実行された場合、該機械に本願明細書に記載の方法、処理、及び／又は動作を実行させ得る命令、データ、及び／又はコードを有しても良い。機械は、例えば、任意の適切な処理プラットフォーム、コンピューティングプラットフォーム、コンピューティング装置、処理装置、コンピューティングシステム、処理システム、コンピュータ、プロセッサ、等を有しても良く、ハードウェア、ソフトウェア、ファームウェア、等の任意の適切な組合せを用いて実施されても良い。
【０１３２】
幾つかの例証的実施形態では、ロジック４０４は、ソフトウェア、ソフトウェアモジュール、アプリケーション、プログラム、サブルーチン、命令、命令セット、コンピューティングコード、ワード、値、記号、等を有しても良く、それらとして実施されても良い。命令は、ソースコード、コンパイル済みコード、インタープリット済みコード、実行可能コード、スタティックコード、ダイナミックコード、等のような任意の適切な種類のコードを有しても良い。命令は、プロセッサに特定の機能を実行するよう指示する、所定のコンピュータ言語、方法又はシンタックスに従って実装されても良い。命令は、Ｃ、Ｃ＋＋、Ｊａｖａ（登録商標）、ＢＡＳＩＣ、Ｍａｔｌａｂ、Ｐａｓｃａｌ、Ｖｉｓｕａｌ  ＢＡＳＩＣ、アセンブラ言語、機械コード、等のような任意の適切な高レベル、低レベル、オブジェクト指向、ビジュアル、コンパイル済み及び／又はインタープリット済みプログラミング言語を用いて実装されても良い。
【０１３３】
＜例＞
以下の例は、更なる実施形態に関連する。
【０１３４】
例１は、第１のアプリケーションサービスプラットフォーム（ＡＳＰ）であって、無線通信リンクを介して１又は複数のＡＳＰピアツーピア（ＡＳＰ−Ｐ２Ｐ）グループを設定するために第２のＡＳＰと通信し、前記第１のＡＳＰは、複数の異なるセッションに及ぶＡＳＰ−Ｐ２Ｐ持続性グループとしてのみ各ＡＳＰ−Ｐ２Ｐグループを形成し、前記第１のＡＳＰは、前記セッション中に使用するために、前記ＡＳＰ−Ｐ２Ｐ持続性グループの認証情報を格納する、第１のＡＳＰ、を有する装置を有する。
【０１３５】
例２は、例１の事項を有し、任意的に、前記第１のＡＳＰは、グループ能力マップを有するＰＳＰ能力属性を前記第２のＡＳＰと通信し、前記グループ能力マップは、前記ＡＳＰ−Ｐ２Ｐグループが前記ＡＳＰ−Ｐ２Ｐ持続性グループとして形成されるべきと示すために常に設定される持続性グループビットを有する。
【０１３６】
例３は、例１又は２の事項を有し、任意的に、前記第１のＡＳＰは、ＡＳＰ−Ｐ２Ｐセッションを設定するためにプロビジョン発見要求及びプロビジョン発見応答を前記第２のＡＳＰと通信し、前記プロビジョン発見応答は、前記プロビジョン発見要求に対して応答し、前記プロビジョン発見要求は、前記ＡＳＰ−Ｐ２Ｐ持続性グループを使用する意図の指示を有し、前記プロビジョン発見応答は、前記ＡＳＰ−Ｐ２Ｐ持続性グループを使用することの確認の指示を有する。
【０１３７】
例４は、例３の事項を有し、任意的に、前記第１のＡＳＰは、前記プロビジョン発見要求を送信し、前記プロビジョン発見応答を受信し、前記プロビジョン発見要求は前記第１のＡＳＰが利用可能な前記認証情報を有することを示す。
【０１３８】
例５は、例３の事項を有し、任意的に、前記第１のＡＳＰは、前記プロビジョン発見要求を受信し、前記プロビジョン発見応答を送信し、前記プロビジョン発見応答は前記第１のＡＳＰが利用可能な前記認証情報を有することを示す。
【０１３９】
例６は、例１乃至５のいずれか１つの事項を有し、任意的に、前記第１のＡＳＰは、ＡＳＰ−Ｐ２Ｐセッションを設定するためにプロビジョン発見要求及びプロビジョン発見応答を前記第２のＡＳＰと通信し、前記プロビジョン発見応答は前記プロビジョン発見要求に対して応答し、前記プロビジョン発見要求及び前記プロビジョン発見応答の各々は、前記ＡＳＰ−Ｐ２Ｐ持続性グループの中で使用されるべきＰ２Ｐインタフェースアドレスを有する。
【０１４０】
例７は、例１乃至６のいずれか１つの事項を有し、任意的に、前記第１のＡＳＰは、ＡＳＰ−Ｐ２Ｐセッションを設定するためにプロビジョン発見要求及びプロビジョン発見応答を前記第２のＡＳＰと通信し、前記プロビジョン発見応答は前記プロビジョン発見要求に対して応答し、前記プロビジョン発見要求及び前記プロビジョン発見応答の各々は、前記ＡＳＰ−Ｐ２Ｐ持続性グループの中で使用されるべき動作チャネルを有する。
【０１４１】
例８は、例１乃至７のいずれか１つの事項を有し、任意的に、前記第１のＡＳＰはグループオーナとして前記ＡＳＰ−Ｐ２Ｐ持続性グループを自立的に開始する。
【０１４２】
例９は、例１乃至８のいずれか１つの事項を有し、任意的に、前記無線通信リンクは、ＷｉＦｉ（Wireless−Fidelity）Ｄｉｒｅｃｔリンクを有する。
【０１４３】
例１０は、第１のアプリケーションサービスプラットフォーム（ＡＳＰ）であって、ＡＳＰピアツーピア（Ｐ２Ｐ）持続性グループの認証情報を用いてＡＳＰセッションのためのＰ２Ｐ接続を設定するために第２のＡＳＰと通信し、前記ＡＳＰセッションを設定するために前記第１のＡＳＰはプロビジョン発見要求及びプロビジョン発見応答を前記第２のＡＳＰと通信し、前記プロビジョン発見応答は前記プロビジョン発見要求に対して応答し、前記プロビジョン発見要求及び前記プロビジョン発見応答の各々は、前記セッション中に使用されるべきＰ２Ｐインタフェースアドレスを有する。
【０１４４】
例１１は、例１０の事項を有し、任意的に、前記プロビジョン発見要求及び前記プロビジョン発見応答の各々は、前記ＡＳＰ−Ｐ２Ｐ持続性グループの中で使用されるべき動作チャネルを有する。
【０１４５】
例１２は、例１０又は１１の事項を有し、任意的に、前記第１のＡＳＰは、グループ能力マップを有するＰＳＰ能力属性を前記第２のＡＳＰと通信し、前記グループ能力マップは前記ＡＳＰ−Ｐ２Ｐ持続性グループを示すために設定される持続性グループビットを有する。
【０１４６】
例１３は、例１０乃至１２のいずれか１つの事項を有し、任意的に、前記プロビジョン発見要求は、前記ＡＳＰ−Ｐ２Ｐ持続性グループを使用する意図の指示を有し、前記プロビジョン発見応答は、前記ＡＳＰ−Ｐ２Ｐ持続性グループを使用することの確認の指示を有する。
【０１４７】
例１４は、例１０乃至１３のいずれか１つの事項を有し、任意的に、前記第１のＡＳＰは、前記プロビジョン発見要求を送信し、前記プロビジョン発見応答を受信し、前記プロビジョン発見要求は前記第１のＡＳＰが利用可能な前記認証情報を有することを示す。
【０１４８】
例１５は、例１０乃至１３のいずれか１つの事項を有し、任意的に、前記第１のＡＳＰは、前記プロビジョン発見要求を受信し、前記プロビジョン発見応答を送信し、前記プロビジョン発見応答は前記第１のＡＳＰが利用可能な前記認証情報を有することを示す。
【０１４９】
例１６は、例１０乃至１５のいずれか１つの事項を有し、任意的に、前記第１のＡＳＰはグループオーナとして前記ＡＳＰ−Ｐ２Ｐ持続性グループを自立的に開始する。
【０１５０】
例１７は、例１０乃至１６のいずれか１つの事項を有し、任意的に、前記ＡＳＰセッションは、ＷｉＦｉ（Wireless−Fidelity）Ｄｉｒｅｃｔリンクを介するセッションを有する。
【０１５１】
例１８は、第１の無線通信装置を有し、前記第１の無線通信装置は、無線通信リンクを介して第２の無線通信装置と通信する無線通信ユニットと、第１のアプリケーションサービスプラットフォーム（ＡＳＰ）であって、無線通信リンクを介してＡＳＰピアツーピア（Ｐ２Ｐ）（ＡＳＰ−Ｐ２Ｐ）グループを設定するために前記第２の無線通信装置の第２のＡＳＰと通信し、前記第１のＡＳＰは、複数の異なるセッションに及ぶＡＳＰ−Ｐ２Ｐ持続性グループとしてのみ各ＡＳＰ−Ｐ２Ｐグループを形成し、前記第１のＡＳＰは前記セッション中に使用するために、前記ＡＳＰ−Ｐ２Ｐ持続性グループの認証情報を格納する、第１のＡＳＰと、を有する。
【０１５２】
例１９は、例１８の事項を有し、及び任意的に、前記第１のＡＳＰは、グループ能力マップを有するＰＳＰ能力属性を前記第２のＡＳＰと通信し、前記グループ能力マップは、前記ＡＳＰ−Ｐ２Ｐグループが前記ＡＳＰ−Ｐ２Ｐ持続性グループとして形成されるべきと示すために常に設定される持続性グループビットを有する。
【０１５３】
例２０は、例１８又は１９の事項を有し、任意的に、前記第１のＡＳＰは、ＡＳＰ−Ｐ２Ｐセッションを設定するためにプロビジョン発見要求及びプロビジョン発見応答を前記第２のＡＳＰと通信し、前記プロビジョン発見応答は、前記プロビジョン発見要求に対して応答し、前記プロビジョン発見要求は、前記ＡＳＰ−Ｐ２Ｐ持続性グループを使用する意図の指示を有し、前記プロビジョン発見応答は、前記ＡＳＰ−Ｐ２Ｐ持続性グループを使用することの確認の指示を有する。
【０１５４】
例２１は、例２０の事項を有し、任意的に、前記第１のＡＳＰは、前記プロビジョン発見要求を送信し、前記プロビジョン発見応答を受信し、前記プロビジョン発見要求は前記第１のＡＳＰが利用可能な前記認証情報を有することを示す。
【０１５５】
例２２は、例２０の事項を有し、任意的に、前記第１のＡＳＰは、前記プロビジョン発見要求を受信し、前記プロビジョン発見応答を送信し、前記プロビジョン発見応答は前記第１のＡＳＰが利用可能な前記認証情報を有することを示す。
【０１５６】
例２３は、例１８乃至２０のいずれか１つの事項を有し、任意的に、前記第１のＡＳＰは、ＡＳＰ−Ｐ２Ｐセッションを設定するためにプロビジョン発見要求及びプロビジョン発見応答を前記第２のＡＳＰと通信し、前記プロビジョン発見応答は前記プロビジョン発見要求に対して応答し、前記プロビジョン発見要求及び前記プロビジョン発見応答の各々は、前記ＡＳＰ−Ｐ２Ｐ持続性グループの中で使用されるべきＰ２Ｐインタフェースアドレスを有する。
【０１５７】
例２４は、例１８乃至２３のいずれか１つの事項を有し、任意的に、前記第１のＡＳＰは、ＡＳＰ−Ｐ２Ｐセッションを設定するためにプロビジョン発見要求及びプロビジョン発見応答を前記第２のＡＳＰと通信し、前記プロビジョン発見応答は前記プロビジョン発見要求に対して応答し、前記プロビジョン発見要求及び前記プロビジョン発見応答の各々は、前記ＡＳＰ−Ｐ２Ｐ持続性グループの中で使用されるべき動作チャネルを有する。
【０１５８】
例２５は、例１８乃至２４のいずれか１つの事項を有し、任意的に、前記第１のＡＳＰはグループオーナとして前記ＡＳＰ−Ｐ２Ｐ持続性グループを自立的に開始する。
【０１５９】
例２６は、例１８乃至２５のいずれか１つの事項を有し、任意的に、前記無線通信リンクは、ＷｉＦｉ（Wireless−Fidelity）Ｄｉｒｅｃｔリンクを有する。
【０１６０】
例２７は、システムであって、第１の無線通信装置を有し、前記第１の無線通信装置は、無線通信リンクを介して第２の無線通信装置と通信する無線通信ユニットと、第１のアプリケーションサービスプラットフォーム（ＡＳＰ）であって、ＡＳＰ−Ｐ２Ｐ持続性グループの認証情報を用いてＡＳＰセッションのためのピアツーピア（Ｐ２Ｐ）を設定するために前記第２の無線通信装置の第２のＡＳＰと通信し、前記第１のＡＳＰは、前記ＡＳＰセッションを設定するためにプロビジョン発見要求及びプロビジョン発見応答を前記第２のＡＳＰと通信し、前記プロビジョン発見応答は前記プロビジョン発見要求に対して応答し、前記プロビジョン発見要求及び前記プロビジョン発見応答の各々は、前記セッション中に使用されるべきＰ２Ｐインタフェースアドレスを有する、第１のＡＳＰと、を有する、システムを有する。
【０１６１】
例２８は、例２７の事項を有し、任意的に、前記プロビジョン発見要求及び前記プロビジョン発見応答の各々は、前記ＡＳＰ−Ｐ２Ｐ持続性グループの中で使用されるべき動作チャネルを有する。
【０１６２】
例２９は、例２７又は２８の事項を有し、任意的に、前記第１のＡＳＰは、グループ能力マップを有するＰＳＰ能力属性を前記第２のＡＳＰと通信し、前記グループ能力マップは前記ＡＳＰ−Ｐ２Ｐ持続性グループを示すために設定される持続性グループビットを有する。
【０１６３】
例３０は、例２７乃至２９のいずれか１つの事項を有し、任意的に、前記プロビジョン発見要求は、前記ＡＳＰ−Ｐ２Ｐ持続性グループを使用する意図の指示を有し、前記プロビジョン発見応答は、前記ＡＳＰ−Ｐ２Ｐ持続性グループを使用することの確認の指示を有する。
【０１６４】
例３１は、例２７乃至３０のいずれか１つの事項を有し、任意的に、前記第１のＡＳＰは、前記プロビジョン発見要求を送信し、前記プロビジョン発見応答を受信し、前記プロビジョン発見要求は前記第１のＡＳＰが利用可能な前記認証情報を有することを示す。
【０１６５】
例３２は、例２７乃至３０のいずれか１つの事項を有し、任意的に、前記第１のＡＳＰは、前記プロビジョン発見要求を受信し、前記プロビジョン発見応答を送信し、前記プロビジョン発見応答は前記第１のＡＳＰが利用可能な前記認証情報を有することを示す。
【０１６６】
例３３は、例２７乃至３２のいずれか１つの事項を有し、任意的に、前記第１のＡＳＰはグループオーナとして前記ＡＳＰ−Ｐ２Ｐ持続性グループを自立的に開始する。
【０１６７】
例３４は、例２７乃至３３のいずれか１つの事項を有し、任意的に、前記ＡＳＰセッションは、ＷｉＦｉ（Wireless−Fidelity）Ｄｉｒｅｃｔリンクを介するセッションを有する。
【０１６８】
例３５は、第１のアプリケーションサービスプラットフォーム（ＡＳＰ）と第２のＡＳＰとの間の無線通信リンクを介して１又は複数のＡＳＰピアツーピア（ＡＳＰ−Ｐ２Ｐ）グループを設定するステップであって、前記設定するステップは、複数の異なるセッションに及ぶＡＳＰ−Ｐ２Ｐ持続性グループとしてのみ各ＡＳＰ−Ｐ２Ｐグループを形成するステップを有する、ステップと、前記セッション中に使用するために、前記第１のＡＳＰに前記ＡＳＰ−Ｐ２Ｐ持続性グループの認証情報を格納するステップと、を有する方法を有する。
【０１６９】
例３６は、例３５の事項を有し、及び任意的に、グループ能力マップを有するＰＳＰ能力属性を前記第２のＡＳＰと通信するステップであって、前記グループ能力マップは、前記ＡＳＰ−Ｐ２Ｐグループが前記ＡＳＰ−Ｐ２Ｐ持続性グループとして形成されるべきと示すために常に設定される持続性グループビットを有する、ステップ、を有する。
【０１７０】
例３７は、例３５又は３６の事項を有し、任意的に、ＡＳＰ−Ｐ２Ｐセッションを設定するためにプロビジョン発見要求及びプロビジョン発見応答を前記第２のＡＳＰと通信するステップであって、前記プロビジョン発見応答は、前記プロビジョン発見要求に対して応答し、前記プロビジョン発見要求は、前記ＡＳＰ−Ｐ２Ｐ持続性グループを使用する意図の指示を有し、前記プロビジョン発見応答は、前記ＡＳＰ−Ｐ２Ｐ持続性グループを使用することの確認の指示を有する、ステップ、を有する。
【０１７１】
例３８は、例３７の事項を有し、任意的に、前記プロビジョン発見要求を送信するステップと、前記プロビジョン発見応答を受信するステップと、を有し、前記プロビジョン発見要求は前記第１のＡＳＰが利用可能な前記認証情報を有することを示す。
【０１７２】
例３９は、例３７の事項を有し、任意的に、前記プロビジョン発見要求を受信するステップと、前記プロビジョン発見応答を送信するステップと、を有し、前記プロビジョン発見応答は前記第１のＡＳＰが利用可能な前記認証情報を有することを示す。
【０１７３】
例４０は、例３５乃至３９のいずれか１つの事項を有し、任意的に、ＡＳＰ−Ｐ２Ｐセッションを設定するためにプロビジョン発見要求及びプロビジョン発見応答を前記第２のＡＳＰと通信するステップであって、前記プロビジョン発見応答は前記プロビジョン発見要求に対して応答し、前記プロビジョン発見要求及び前記プロビジョン発見応答の各々は、前記ＡＳＰ−Ｐ２Ｐ持続性グループの中で使用されるべきＰ２Ｐインタフェースアドレスを有する、ステップ、を有する。
【０１７４】
例４１は、例３５乃至４０のいずれか１つの事項を有し、任意的に、ＡＳＰ−Ｐ２Ｐセッションを設定するためにプロビジョン発見要求及びプロビジョン発見応答を前記第２のＡＳＰと通信するステップであって、前記プロビジョン発見応答は前記プロビジョン発見要求に対して応答し、前記プロビジョン発見要求及び前記プロビジョン発見応答の各々は、前記ＡＳＰ−Ｐ２Ｐ持続性グループの中で使用されるべき動作チャネルを有する。
【０１７５】
例４２は、例３５乃至４１のいずれか１つの事項を有し、任意的に、グループオーナとして前記ＡＳＰ−Ｐ２Ｐ持続性グループを自立的に開始するステップ、を有する。
【０１７６】
例４３は、例３５乃至４２のいずれか１つの事項を有し、任意的に、前記無線通信リンクは、ＷｉＦｉ（Wireless−Fidelity）Ｄｉｒｅｃｔリンクを有する。
【０１７７】
例４４は、第１のアプリケーションサービスプラットフォーム（ＡＳＰ）と第２のＡＳＰとの間のＡＳＰセッションのためのピアツーピア（Ｐ２Ｐ）接続を設定するステップであって、前記ＡＳＰセッションはＡＳＰ−Ｐ２Ｐ持続性グループの認証情報を用いる、ステップを有し、前記設定するステップは、前記第１及び第２のＡＳＰの間でプロビジョン発見要求及びプロビジョン発見応答を通信するステップであって、前記プロビジョン発見応答は前記プロビジョン発見要求に対して応答し、前記プロビジョン発見要求及び前記プロビジョン発見応答の各々は、前記セッション中に使用されるべきＰ２Ｐインタフェースアドレスを有する、ステップを有する。
【０１７８】
例４５は、例４４の事項を有し、任意的に、前記プロビジョン発見要求及び前記プロビジョン発見応答の各々は、前記ＡＳＰ−Ｐ２Ｐ持続性グループの中で使用されるべき動作チャネルを有する。
【０１７９】
例４６は、例４４又は４５の事項を有し、任意的に、グループ能力マップを有するＰＳＰ能力属性を前記第２のＡＳＰと通信するステップであって、前記グループ能力マップは前記ＡＳＰ−Ｐ２Ｐ持続性グループを示すために設定される持続性グループビットを有する、ステップを有する。
【０１８０】
例４７は、例４４乃至４６のいずれか１つの事項を有し、任意的に、前記プロビジョン発見要求は、前記ＡＳＰ−Ｐ２Ｐ持続性グループを使用する意図の指示を有し、前記プロビジョン発見応答は、前記ＡＳＰ−Ｐ２Ｐ持続性グループを使用することの確認の指示を有する。
【０１８１】
例４８は、例４４乃至４７のいずれか１つの事項を有し、任意的に、前記プロビジョン発見要求を送信するステップと、前記プロビジョン発見応答を受信するステップと、を有し、前記プロビジョン発見要求は前記第１のＡＳＰが利用可能な前記認証情報を有することを示す。
【０１８２】
例４９は、例４４乃至４７のいずれか１つの事項を有し、任意的に、前記プロビジョン発見要求を受信するステップと、前記プロビジョン発見応答を送信するステップと、を有し、前記プロビジョン発見応答は前記第１のＡＳＰが利用可能な前記認証情報を有することを示す。
【０１８３】
例５０は、例４４乃至４９のいずれか１つの事項を有し、任意的に、グループオーナとして前記ＡＳＰ−Ｐ２Ｐ持続性グループを自立的に開始するステップ、を有する。
【０１８４】
例５１は、例４４乃至５０のいずれか１つの事項を有し、任意的に、前記ＡＳＰセッションは、ＷｉＦｉ（Wireless−Fidelity）Ｄｉｒｅｃｔリンクを介するセッションを有する。
【０１８５】
例５２は、格納された命令を有する非一時的記憶媒体を有する製品であって、前記命令は、機械により実行されると、第１のアプリケーションサービスプラットフォーム（ＡＳＰ）と第２のＡＳＰとの間の無線通信リンクを介して１又は複数のＡＳＰピアツーピア（ＡＳＰ−Ｐ２Ｐ）グループを設定するステップを生じさせ、前記設定するステップは、複数の異なるセッションに及ぶＡＳＰ−Ｐ２Ｐ持続性グループとしてのみ各ＡＳＰ−Ｐ２Ｐグループを形成するステップを有する、ステップと、前記セッション中に使用するために、前記第１のＡＳＰに前記ＡＳＰ−Ｐ２Ｐ持続性グループの認証情報を格納するステップと、を有する。
【０１８６】
例５３は、例５２の事項を有し、任意的に、前記命令は、グループ能力マップを有するＰＳＰ能力属性を前記第２のＡＳＰと通信するステップを生じさせ、前記グループ能力マップは、前記ＡＳＰ−Ｐ２Ｐグループが前記ＡＳＰ−Ｐ２Ｐ持続性グループとして形成されるべきと示すために常に設定される持続性グループビットを有する。
【０１８７】
例５４は、例５２又は５３の事項を有し、任意的に、前記命令は、ＡＳＰ−Ｐ２Ｐセッションを設定するためにプロビジョン発見要求及びプロビジョン発見応答を前記第２のＡＳＰと通信するステップを生じさせ、前記プロビジョン発見応答は、前記プロビジョン発見要求に対して応答し、前記プロビジョン発見要求は、前記ＡＳＰ−Ｐ２Ｐ持続性グループを使用する意図の指示を有し、前記プロビジョン発見応答は、前記ＡＳＰ−Ｐ２Ｐ持続性グループを使用することの確認の指示を有する。
【０１８８】
例５５は、例５４の事項を有し、任意的に、前記命令は、前記プロビジョン発見要求を送信するステップと、前記プロビジョン発見応答を受信するステップと、を生じさせ、前記プロビジョン発見要求は前記第１のＡＳＰが利用可能な前記認証情報を有することを示す。
【０１８９】
例５６は、例５４の事項を有し、任意的に、前記命令は、前記プロビジョン発見要求を受信するステップと、前記プロビジョン発見応答を送信するステップと、を生じさせ、前記プロビジョン発見応答は前記第１のＡＳＰが利用可能な前記認証情報を有することを示す。
【０１９０】
例５７は、例５２乃至５６のいずれか１つの事項を有し、任意的に、前記命令は、ＡＳＰ−Ｐ２Ｐセッションを設定するためにプロビジョン発見要求及びプロビジョン発見応答を前記第２のＡＳＰと通信するステップを生じさせ、前記プロビジョン発見応答は前記プロビジョン発見要求に対して応答し、前記プロビジョン発見要求及び前記プロビジョン発見応答の各々は、前記ＡＳＰ−Ｐ２Ｐ持続性グループの中で使用されるべきＰ２Ｐインタフェースアドレスを有する。
【０１９１】
例５８は、例５２乃至５７のいずれか１つの事項を有し、任意的に、前記命令は、ＡＳＰ−Ｐ２Ｐセッションを設定するためにプロビジョン発見要求及びプロビジョン発見応答を前記第２のＡＳＰと通信するステップを生じさせ、前記プロビジョン発見応答は前記プロビジョン発見要求に対して応答し、前記プロビジョン発見要求及び前記プロビジョン発見応答の各々は、前記ＡＳＰ−Ｐ２Ｐ持続性グループの中で使用されるべき動作チャネルを有する。
【０１９２】
例５９は、例５２乃至５８のいずれか１つの事項を有し、任意的に、前記命令は、前記第１のＡＳＰはグループオーナとして前記ＡＳＰ−Ｐ２Ｐ持続性グループを自立的に開始するステップを生じさせる。
【０１９３】
例６０は、例５２乃至５９のいずれか１つの事項を有し、任意的に、前記無線通信リンクは、ＷｉＦｉ（Wireless−Fidelity）Ｄｉｒｅｃｔリンクを有する。
【０１９４】
例６１は、格納された命令を有する非一時的記憶媒体を有する製品であって、前記命令は機械により実行されると、第１のアプリケーションサービスプラットフォーム（ＡＳＰ）と第２のＡＳＰとの間のＡＳＰセッションのためのピアツーピア（Ｐ２Ｐ）接続を設定するステップであって、前記ＡＳＰセッションはＡＳＰ−Ｐ２Ｐ持続性グループの認証情報を用いる、ステップを有し、前記設定するステップは、前記第１及び第２のＡＳＰの間でプロビジョン発見要求及びプロビジョン発見応答を通信するステップであって、前記プロビジョン発見応答は前記プロビジョン発見要求に対して応答し、前記プロビジョン発見要求及び前記プロビジョン発見応答の各々は、前記セッション中に使用されるべきＰ２Ｐインタフェースアドレスを有する、ステップを生じさせる。
【０１９５】
例６２は、例６１の事項を有し、任意的に、前記プロビジョン発見要求及び前記プロビジョン発見応答の各々は、前記ＡＳＰ−Ｐ２Ｐ持続性グループの中で使用されるべき動作チャネルを有する。
【０１９６】
例６３は、例６１又は６２の事項を有し、任意的に、前記命令は、グループ能力マップを有するＰＳＰ能力属性を前記第２のＡＳＰと通信するステップであって、前記グループ能力マップは前記ＡＳＰ−Ｐ２Ｐ持続性グループを示すために設定される持続性グループビットを有する、ステップを生じさせる。
【０１９７】
例６４は、例６１乃至６３のいずれか１つの事項を有し、任意的に、前記プロビジョン発見要求は、前記ＡＳＰ−Ｐ２Ｐ持続性グループを使用する意図の指示を有し、前記プロビジョン発見応答は、前記ＡＳＰ−Ｐ２Ｐ持続性グループを使用することの確認の指示を有する。
【０１９８】
例６５は、例６１乃至６４のいずれか１つの事項を有し、任意的に、前記命令は、前記プロビジョン発見要求を送信するステップと、前記プロビジョン発見応答を受信するステップと、を生じさせ、前記プロビジョン発見要求は前記第１のＡＳＰが利用可能な前記認証情報を有することを示す。
【０１９９】
例６６は、例６１乃至６４のいずれか１つの事項を有し、任意的に、前記命令は、前記プロビジョン発見要求を受信するステップと、前記プロビジョン発見応答を送信するステップと、を生じさせ、前記プロビジョン発見応答は前記第１のＡＳＰが利用可能な前記認証情報を有することを示す。
【０２００】
例６７は、例６１乃至６６のいずれか１つの事項を有し、任意的に、前記命令は、前記第１のＡＳＰはグループオーナとして前記ＡＳＰ−Ｐ２Ｐ持続性グループを自立的に開始するステップを生じさせる。
【０２０１】
例６８は、例６１乃至６７のいずれか１つの事項を有し、任意的に、前記ＡＳＰセッションは、ＷｉＦｉ（Wireless−Fidelity）Ｄｉｒｅｃｔリンクを介するセッションを有する。
【０２０２】
例６９は、第１のアプリケーションサービスプラットフォーム（ＡＳＰ）と第２のＡＳＰとの間の無線通信リンクを介して１又は複数のＡＳＰピアツーピア（ＡＳＰ−Ｐ２Ｐ）グループを設定する手段であって、前記設定する手段は、複数の異なるセッションに及ぶＡＳＰ−Ｐ２Ｐ持続性グループとしてのみ各ＡＳＰ−Ｐ２Ｐグループを形成する手段を有する、手段と、前記セッション中に使用するために、前記第１のＡＳＰに前記ＡＳＰ−Ｐ２Ｐ持続性グループの認証情報を格納する手段と、を有する装置を有する。
【０２０３】
例７０は、例６９の事項を有し、任意的に、グループ能力マップを有するＰＳＰ能力属性を前記第２のＡＳＰと通信する手段であって、前記グループ能力マップは、前記ＡＳＰ−Ｐ２Ｐグループが前記ＡＳＰ−Ｐ２Ｐ持続性グループとして形成されるべきと示すために常に設定される持続性グループビットを有する、手段、を有する。
【０２０４】
例７１は、例６９又は７０の事項を有し、任意的に、ＡＳＰ−Ｐ２Ｐセッションを設定するためにプロビジョン発見要求及びプロビジョン発見応答を通信する手段であって、前記プロビジョン発見応答は、前記プロビジョン発見要求に対して応答し、前記プロビジョン発見要求は、前記ＡＳＰ−Ｐ２Ｐ持続性グループを使用する意図の指示を有し、前記プロビジョン発見応答は、前記ＡＳＰ−Ｐ２Ｐ持続性グループを使用することの確認の指示を有する、手段、を有する。
【０２０５】
例７２は、例７１の事項を有し、任意的に、前記プロビジョン発見要求を送信する手段と、前記プロビジョン発見応答を受信する手段と、を有し、前記プロビジョン発見要求は前記第１のＡＳＰが利用可能な前記認証情報を有することを示す。
【０２０６】
例７３は、例７１の事項を有し、任意的に、前記プロビジョン発見要求を受信する手段と、前記プロビジョン発見応答を送信する手段と、を有し、前記プロビジョン発見応答は前記第１のＡＳＰが利用可能な前記認証情報を有することを示す。
【０２０７】
例７４は、例６９乃至７３のいずれか１つの事項を有し、任意的に、ＡＳＰ−Ｐ２Ｐセッションを設定するためにプロビジョン発見要求及びプロビジョン発見応答を前記第２のＡＳＰと通信する手段であって、前記プロビジョン発見応答は前記プロビジョン発見要求に対して応答し、前記プロビジョン発見要求及び前記プロビジョン発見応答の各々は、前記ＡＳＰ−Ｐ２Ｐ持続性グループの中で使用されるべきＰ２Ｐインタフェースアドレスを有する、手段を有する。
【０２０８】
例７５は、例６９乃至７４のいずれか１つの事項を有し、任意的に、ＡＳＰ−Ｐ２Ｐセッションを設定するためにプロビジョン発見要求及びプロビジョン発見応答を前記第２のＡＳＰと通信する手段であって、前記プロビジョン発見応答は前記プロビジョン発見要求に対して応答し、前記プロビジョン発見要求及び前記プロビジョン発見応答の各々は、前記ＡＳＰ−Ｐ２Ｐ持続性グループの中で使用されるべき動作チャネルを有する、手段を有する。
【０２０９】
例７６は、例６９乃至７５のいずれか１つの事項を有し、任意的に、グループオーナとして前記ＡＳＰ−Ｐ２Ｐ持続性グループを自立的に開始する手段、を有する。
【０２１０】
例７７は、例６９乃至７６のいずれか１つの事項を有し、任意的に、前記無線通信リンクは、ＷｉＦｉ（Wireless−Fidelity）Ｄｉｒｅｃｔリンクを有する。
【０２１１】
例７８は、第１のアプリケーションサービスプラットフォーム（ＡＳＰ）と第２のＡＳＰとの間のＡＳＰセッションのためのピアツーピア（Ｐ２Ｐ）接続を設定する手段であって、前記ＡＳＰセッションはＡＳＰ−Ｐ２Ｐ持続性グループの認証情報を用いる、手段を有し、前記設定する手段は、前記第１及び第２のＡＳＰの間でプロビジョン発見要求及びプロビジョン発見応答を通信する手段であって、前記プロビジョン発見応答は前記プロビジョン発見要求に対して応答し、前記プロビジョン発見要求及び前記プロビジョン発見応答の各々は、前記セッション中に使用されるべきＰ２Ｐインタフェースアドレスを有する、手段を有する装置を有する。
【０２１２】
例７９は、例７８の事項を有し、任意的に、前記プロビジョン発見要求及び前記プロビジョン発見応答の各々は、前記ＡＳＰ−Ｐ２Ｐ持続性グループの中で使用されるべき動作チャネルを有する。
【０２１３】
例８０は、例７８又は７９の事項を有し、任意的に、グループ能力マップを有するＰＳＰ能力属性を前記第２のＡＳＰと通信する手段であって、前記グループ能力マップは前記ＡＳＰ−Ｐ２Ｐ持続性グループを示すために設定される持続性グループビットを有する、手段を有する。
【０２１４】
例８１は、例７８乃至８０のいずれか１つの事項を有し、任意的に、前記プロビジョン発見要求は、前記ＡＳＰ−Ｐ２Ｐ持続性グループを使用する意図の指示を有し、前記プロビジョン発見応答は、前記ＡＳＰ−Ｐ２Ｐ持続性グループを使用することの確認の指示を有する。
【０２１５】
例８２は、例７８乃至８１のいずれか１つの事項を有し、任意的に、前記プロビジョン発見要求を送信する手段と、前記プロビジョン発見応答を受信する手段と、を有し、前記プロビジョン発見要求は前記第１のＡＳＰが利用可能な前記認証情報を有することを示す。
【０２１６】
例８３は、例７８乃至８１のいずれか１つの事項を有し、任意的に、前記プロビジョン発見要求を受信する手段と、前記プロビジョン発見応答を送信する手段と、を有し、前記プロビジョン発見応答は前記第１のＡＳＰが利用可能な前記認証情報を有することを示す。
【０２１７】
例８４は、例７８乃至８３のいずれか１つの事項を有し、任意的に、グループオーナとして前記ＡＳＰ−Ｐ２Ｐ持続性グループを自立的に開始する手段、を有する。
【０２１８】
例８５は、例７８乃至８４のいずれか１つの事項を有し、任意的に、前記ＡＳＰセッションは、ＷｉＦｉ（Wireless−Fidelity）Ｄｉｒｅｃｔリンクを介するセッションを有する。
【０２１９】
１又は複数の実施形態を参照して本願明細書に記載された機能、動作、コンポーネント、及び／又は特徴は、１又は複数の他の実施形態を参照して本願明細書に記載された１又は複数の他の機能、動作、コンポーネント、及び／又は特徴と結合されても良く、又はそれらと組み合わせて用いられても良い。逆も同様である。
【０２２０】
本発明の特定の特徴が本願明細書に示され記載されたが、多くの変更、代替、変化及び等価なものが当業者に明らかである。したがって、添付の特許請求の範囲は本発明の真の精神の範囲内に包含される全てのこのような変更及び変化を包含することが理解される。
【０２２１】
［関連出願］
本願は、米国仮特許出願番号第６１/８２０,９９６号、名称「Techniques  of  Invoking  Persistent  P２P  group  For  Application  Service  Platform  (ASP)」、２０１３年５月８日出願、の優先権を主張する。該米国仮特許出願の開示全体は、参照することにより本願明細書に組み込まれる。
【図１】
2016508263.tif 000003
【図２】
2016508263.tif 000004
【図３】
2016508263.tif 000005
【図４】
2016508263.tif 000006
【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
第１の無線装置であって、
無線機と、
アプリケーションサービスプラットフォーム（ＡＳＰ）モジュールであって、前記第１の無線装置にある第１のＡＳＰに、
前記第１のＡＳＰと第２の無線装置の第２のＡＳＰとの間に少なくとも１つのＡＳＰピアツーピア（ＡＳＰ−Ｐ２Ｐ）グループを設定し、前記ＡＳＰ−Ｐ２Ｐグループは、複数の異なるセッションに及ぶ持続性Ｐ２Ｐグループとして常に形成され、
前記ＡＳＰ−Ｐ２Ｐグループのグループ形成手順が実行されるべきとき、Ｐ２Ｐ能力属性の中のグループ能力マップの持続性Ｐ２Ｐグループビットを、前記ＡＳＰ−Ｐ２Ｐグループが持続性Ｐ２Ｐグループとして形成されるべきであると示すために１の値にのみ設定する、
ようにさせる、ＡＳＰモジュールと、
を有する第１の無線装置。
【請求項２】
前記ＡＳＰモジュールは、前記第１のＡＳＰに前記ＡＳＰ−Ｐ２Ｐグループの認証情報を格納させる、請求項１に記載の第１の無線装置。
【請求項３】
前記ＡＳＰモジュールは、前記第１のＡＳＰに、前記ＡＳＰ−Ｐ２Ｐ持続性グループを使用する意図の指示を有するプロビジョン発見要求を送信させる、請求項１に記載の第１の無線装置。
【請求項４】
前記ＡＳＰモジュールは、前記第１のＡＳＰに、前記ＡＳＰ−Ｐ２Ｐ持続性グループを使用することの確認の指示を有する受信したプロビジョン発見応答を処理させる、請求項１に記載の第１の無線装置。
【請求項５】
前記ＡＳＰモジュールは、前記第１のＡＳＰに、前記ＡＳＰ−Ｐ２Ｐ持続性グループを使用する意図の指示を有する受信したプロビジョン発見要求を処理させる、請求項１に記載の第１の無線装置。
【請求項６】
前記ＡＳＰモジュールは、前記第１のＡＳＰに、前記ＡＳＰ−Ｐ２Ｐ持続性グループを使用することの確認の指示を有するプロビジョン発見応答を送信させる、請求項１に記載の第１の無線装置。
【請求項７】
前記ＡＳＰモジュールは、前記第１のＡＳＰに、Ｐ２Ｐインタフェースアドレスを有するプロビジョン発見メッセージと、前記ＡＳＰ−Ｐ２Ｐグループにより使用されるべき動作チャネルと、を送信させる、請求項１乃至６のいずれか一項に記載の第１の無線装置。
【請求項８】
前記ＡＳＰモジュールは、前記第１のＡＳＰに、グループオーナ（ＧＯ）として前記ＡＳＰ−Ｐ２Ｐ持続性グループを自立的に開始させる、請求項１乃至６のいずれか一項に記載の第１の無線装置。
【請求項９】
１又は複数のアンテナを有する請求項１乃至６のいずれか一項に記載の第１の無線装置。
【請求項１０】
モバイル装置である請求項１乃至６のいずれか一項に記載の第１の無線装置。
【請求項１１】
第１の無線装置にある第１のアプリケーションサービスプラットフォーム（ＡＳＰ）により実行される方法であって、前記方法は、
前記第１のＡＳＰと第２の無線装置の第２のＡＳＰとの間に少なくとも１つのＡＳＰピアツーピア（ＡＳＰ−Ｐ２Ｐ）グループを設定するステップであって、前記ＡＳＰ−Ｐ２Ｐグループは、複数の異なるセッションに及ぶ持続性Ｐ２Ｐグループとして常に形成される、ステップと、
前記ＡＳＰ−Ｐ２Ｐグループのグループ形成手順が実行されるべきとき、Ｐ２Ｐ能力属性の中のグループ能力マップの持続性Ｐ２Ｐグループビットを、前記ＡＳＰ−Ｐ２Ｐグループが持続性Ｐ２Ｐグループとして形成されるべきであると示すために１の値にのみ設定するステップと、
を有する方法。
【請求項１２】
前記ＡＳＰ−Ｐ２Ｐグループの認証情報を格納するステップ、を有する請求項１１に記載の方法。
【請求項１３】
前記ＡＳＰ−Ｐ２Ｐ持続性グループを使用する意図の指示を有するプロビジョン発見要求を送信するステップ、を有する請求項１１に記載の方法。
【請求項１４】
前記ＡＳＰ−Ｐ２Ｐ持続性グループを使用することの確認の指示を有する受信したプロビジョン発見応答を処理するステップ、を有する請求項１１に記載の方法。
【請求項１５】
前記ＡＳＰ−Ｐ２Ｐ持続性グループを使用する意図の指示を有する受信したプロビジョン発見要求を処理するステップ、を有する請求項１１に記載の方法。
【請求項１６】
前記ＡＳＰ−Ｐ２Ｐ持続性グループを使用することの確認の指示を有するプロビジョン発見応答を送信するステップ、を有する請求項１１に記載の方法。
【請求項１７】
Ｐ２Ｐインタフェースアドレスと、前記ＡＳＰ−Ｐ２Ｐグループにより使用されるべき動作チャネルと、を有するプロビジョン発見メッセージを送信するステップ、を有する請求項１１に記載の方法。
【請求項１８】
グループオーナ（ＧＯ）として前記ＡＳＰ−Ｐ２Ｐ持続性グループを自立的に開始するステップ、を有する請求項１１に記載の方法。
【請求項１９】
コンピュータ実行可能命令を有する１又は複数の有形コンピュータ可読非一時的記憶媒体を有する製品であって、前記コンピュータ実行可能命令は、少なくとも１つのコンピュータプロセッサにより実行されると、前記少なくとも１つのコンピュータプロセッサに、請求項１１乃至１８のいずれか一項に記載の方法の１又は複数の動作を実施させる、製品。
【国際調査報告】
2016508263.tif 000007
2016508263.tif 000008